(57)【特許請求の範囲】
【請求項１】
第１の主要面、前記第１の主要面の反対側の第２の主要面、および第１の内部チャンバを含む第１の流体充填ブラダチャンバと、
第３の主要面、前記第３の主要面の反対側の第４の主要面、および第２の内部チャンバを含む第２の流体充填ブラダチャンバであって、前記第３の主要面は前記第２の主要面と対向する、第２の流体充填ブラダチャンバと、
前記第１の内部チャンバと前記第２の内部チャンバとを互いに流体連通させる第１の流体流れラインと、
前記第１の内部チャンバと前記第２の内部チャンバとの間の流体流れが生じる開放形態と前記第１の内部チャンバと前記第２の内部チャンバとの間の流体流れが停止される閉鎖形態との間で前記第１の流体流れラインを選択的に変化させるための流体流れ制御システムと、
ポンプ装置と、
前記第１の内部チャンバを前記ポンプ装置と流体連通させる第２の流体流れラインと、
前記ポンプ装置を前記第２の内部チャンバと流体連通させる第３の流体流れラインと
を備える足支持システム。
【請求項２】
前記第１の流体充填ブラダチャンバは、使用者の足の足底面の大部分を支持するための支持面を形成するように寸法決めおよび成形され、前記第２の流体充填ブラダチャンバは、前記第３の主要面が前記第２の主要面の全表面積の少なくとも６０％に直接隣接するように寸法決めおよび成形される、請求項１に記載の足支持システム。
【請求項３】
予備流体チャンバと、
前記予備流体チャンバを前記第２の内部チャンバ、前記ポンプ装置、または前記第３の流体流れラインの少なくとも１つと流体連通させる第４の流体流れラインと
をさらに備える、請求項１に記載の足支持システム。
【請求項４】
前記流体流れ制御システムは、前記予備流体チャンバと前記第２の内部チャンバ、前記ポンプ装置、または前記第３の流体流れラインの前記少なくとも１つとの間の流体流れが生じる開放形態と、前記予備流体チャンバと前記第２の内部チャンバ、前記ポンプ装置、または前記第３の流体流れラインの前記少なくとも１つとの間の流体流れが停止される閉鎖形態との間で前記第４の流体流れラインを選択的に変化させる、請求項３に記載の足支持システム。
【請求項５】
アッパーと、
前記アッパーと係合される請求項１ないし４いずれか一項に記載の足支持システムと
を備える履物。
【発明の詳細な説明】
【技術分野】
【０００１】
［関連出願の相互参照］
本願は、（ａ）「Ａｄｊｕｓｔａｂｌｅ  Ｆｏｏｔ  Ｓｕｐｐｏｒｔ  Ｓｙｓｔｅｍｓ  ｉｎｃｌｕｄｉｎｇ  Ｆｌｕｉｄ−Ｆｉｌｌｅｄ  Ｂｌａｄｄｅｒ  Ｃｈａｍｂｅｒｓ」と題され、２０１７年２月２７日に出願された米国仮特許出願第６２／４６３，８５９号、および（ｂ）「Ａｄｊｕｓｔａｂｌｅ  Ｆｏｏｔ  Ｓｕｐｐｏｒｔ  Ｓｙｓｔｅｍｓ  ｉｎｃｌｕｄｉｎｇ  Ｆｌｕｉｄ−Ｆｉｌｌｅｄ  Ｂｌａｄｄｅｒ  Ｃｈａｍｂｅｒｓ」と題され、２０１７年２月２７日に出願された米国仮特許出願第６２／４６３，８９２号に対する優先権を主張するものである。米国仮特許出願第６２／４６３，８５９号および米国仮特許出願第６２／４６３，８９２号の各々の内容全体を参照によって本願明細書に引用したものとする。
【０００２】
［技術分野］
本発明は、履物または他の足収容具の分野の足支持システムに関する。より詳細には、本発明の態様は、例えば、履物用の足支持システムであって、足支持部の堅さまたは硬さを変更するためのシステムおよび／または足支持システムの様々な部分間で流体を選択的に移動させるためのシステムを含む足支持システム、足収容具、および／または履物に関する。
【背景技術】
【０００３】
従来の運動靴は、アッパーおよびソール構造の２つの主な要素を含む。アッパーは、足をしっかりと収容してソール構造に対して足を位置決めする足の被覆部となり得る。さらに、アッパーは、足を保護して通気することによって、足を冷却して汗を除去する構造を有し得る。ソール構造は、アッパーの下面に固定され得、通常は、足と任意の接触面との間に位置決めされる。ソール構造は、地面反力を軽減させ、エネルギーを吸収する以外に、静止摩擦を発生させ、悪影響を及ぼす可能性のある足の動き、例えば、過度の回内を制御し得る。
【０００４】
アッパーは、足を収容するための履物の内側の空隙を形成する。空隙は、足の全体形状を有し、空隙への経路が足首開口部に設けられる。したがって、アッパーは、足の甲領域および爪先領域まで、足の内側および外側に沿って、足の踵領域を囲むように延在する。紐締めシステムは、使用者が選択的に足首開口部のサイズを変えることができるように、また使用者が種々なサイズの足を収容するためにアッパーの特定の寸法、特に、周囲の長さを変更することができるように、アッパーに組み込まれることが多い。さらに、アッパーは、履物の快適さを向上させるために（例えば、紐によって足に加えられる圧力を調節するために）紐締めシステムの下に延在するタンを含み得、アッパーはさらに、踵の動きを制限するまたは制御するためのヒールカウンタを含み得る。
【０００５】
「履物」は、本明細書内で使用される場合、任意の種類の足用の衣料品を指し、この用語は、靴、ブーツ、スニーカー、サンダル、ゴム草履、フリップフラップ、ミュール、室内履き、スリッパ、スポーツシューズ（例えば、ゴルフシューズ、テニスシューズ、野球用スパイク、サッカーもしくはフットボール用スパイク、スキー靴、バスケットボールシューズ、クロストレーニングシューズなど）などの全ての種類を含むが、これらに限定されない。「足収容具」は、本明細書内で使用される場合、使用者が自分の足の少なくとも一部を入れる任意の器具を指す。「履物」の全ての種類に加えて、足収容具は、スキー板、クロスカントリー用スキー板、水上スキー板、スノーボードなどに足を固定するためのバインディングおよび他の器具、自転車、エクササイズ用機器などで使用するペダルに足を固定するためのバインディング、クリップ、または他の器具、ビデオゲームまたは他のゲームのプレイ中に足を収容するためのバインディング、クリップ、または他の器具などを含むが、これらに限定されない。「足収容具」は、足を他の構成要素または構造に対して位置決めするのを支援する１つまたは複数の「足被覆部材」（例えば、履物のアッパー要素のような部材）と、使用者の足の足底面の少なくとも一部（単数または複数）を支持する１つまたは複数の「足支持部材」（例えば、履物ソール構造要素のような部材）とを含み得る。「足支持部材」は、履物用のミッドソールおよび／またはアウトソールのための構成要素および／またはミッドソールおよび／またはアウトソールとして機能する構成要素（または履物でないタイプの足収容具内の対応する機能を付与する構成要素）を含み得る。
【発明の概要】
【０００６】
この概要は、以下の[発明を実施するための形態]でより詳細に説明されている本発明に関する一般概念のいくつかを簡略化して紹介するものである。この概要は、本発明の主要な特徴または必須の特徴を特定することを意図するものではない。
【０００７】
本発明の態様は、例えば、以下で説明されており、ならびに／もしくは以下の請求項に記載されており、ならびに／もしくは添付図面に示されているタイプの足支持システム、履物、および／または他の足収容具に関する。このような足支持システム、履物、ならびに／もしくは他の足収容具は、記載されており、および／または以下の請求項に記載されており、および／または添付図面に示されている例の任意の１つまたは複数の構造、部品、特徴、特性、および／または構造、部品、特徴、ならびに／もしくは特性の組み合わせ（単数または複数）を含み得る。
【０００８】
本発明の態様は足支持システムに関して説明されているが、本発明の追加の態様は、履物、該足支持システムならびに／もしくは履物の製造方法、および／または該足支持システムならびに／もしくは履物の使用方法に関する。
【０００９】
本発明の上記の[発明の概要]および以下の[発明を実施するための形態]は、添付図面と併せて考察したときに、より良く理解されるであろう。図面において、同様の参照番号は、その参照番号が記載されている様々な図の全てにおいて同一または同様の要素を指すものとする。
【図面の簡単な説明】
【００１０】
【図１Ａ】本発明のいくつかの実施例および態様に係る、足支持構造、その構成要素、および／または履物の様々な特徴を示す図である。
【図１Ｂ】本発明のいくつかの実施例および態様に係る、足支持構造、その構成要素、および／または履物の様々な特徴を示す図である。
【図１Ｃ】本発明のいくつかの実施例および態様に係る、足支持構造、その構成要素、および／または履物の様々な特徴を示す図である。
【図１Ｄ】本発明のいくつかの実施例および態様に係る、足支持構造、その構成要素、および／または履物の様々な特徴を示す図である。
【図１Ｅ】本発明のいくつかの実施例および態様に係る、足支持構造、その構成要素、および／または履物の様々な特徴を示す図である。
【図１Ｆ】本発明のいくつかの実施例および態様に係る、足支持構造、その構成要素、および／または履物の様々な特徴を示す図である。
【図１Ｇ】本発明のいくつかの実施例および態様に係る、足支持構造、その構成要素、および／または履物の様々な特徴を示す図である。
【図１Ｈ】本発明のいくつかの実施例および態様に係る、足支持構造、その構成要素、および／または履物の様々な特徴を示す図である。
【図２Ａ】本発明の追加の実施例および態様に係る、足支持構造、その構成要素、および／または履物の様々な特徴を示す図である。
【図２Ｂ】本発明の追加の実施例および態様に係る、足支持構造、その構成要素、および／または履物の様々な特徴を示す図である。
【図２Ｃ】本発明の追加の実施例および態様に係る、足支持構造、その構成要素、および／または履物の様々な特徴を示す図である。
【図２Ｄ】本発明の追加の実施例および態様に係る、足支持構造、その構成要素、および／または履物の様々な特徴を示す図である。
【図２Ｅ】本発明の追加の実施例および態様に係る、足支持構造、その構成要素、および／または履物の様々な特徴を示す図である。
【図２Ｆ】本発明の追加の実施例および態様に係る、足支持構造、その構成要素、および／または履物の様々な特徴を示す図である。
【図３Ａ】本発明の様々な実施例および態様に係る、流体移送および／または流体圧力変化の様々な特徴を示す図である。
【図３Ｂ】本発明の様々な実施例および態様に係る、流体移送および／または流体圧力変化の様々な特徴を示す図である。
【図３Ｃ】本発明の様々な実施例および態様に係る、流体移送および／または流体圧力変化の様々な特徴を示す図である。
【図３Ｄ】本発明の様々な実施例および態様に係る、流体移送および／または流体圧力変化の様々な特徴を示す図である。
【図３Ｅ】本発明の様々な実施例および態様に係る、流体移送および／または流体圧力変化の様々な特徴を示す図である。
【図３Ｆ】本発明の様々な実施例および態様に係る、流体移送および／または流体圧力変化の様々な特徴を示す図である。
【図４Ａ】本発明の様々な実施例および態様に係る、流体移送および／または流体圧力変化の様々な特徴を示す図である。
【図４Ｂ】本発明の様々な実施例および態様に係る、流体移送および／または流体圧力変化の様々な特徴を示す図である。
【図４Ｃ】本発明の様々な実施例および態様に係る、流体移送および／または流体圧力変化の様々な特徴を示す図である。
【図５Ａ】本発明の様々な実施例および態様に係る、別の実施例の履物の様々な特徴を示す図である。
【図５Ｂ】本発明の様々な実施例および態様に係る、別の実施例の履物の様々な特徴を示す図である。
【発明を実施するための形態】
【００１１】
本発明に係る履物構造および構成要素の様々な例についての以下の説明では、添付図面を参照する。添付図面は、本明細書の一部を成し、添付図面には、本発明の態様が実施され得る様々な例の構造および環境が例示されている。本開示の範囲から逸脱せずに、他の構造および環境を使用することができ、また具体的に記載されている構造および方法に対して構造的および機能的修正を行うことができることは理解できるであろう。
Ｉ．本発明の態様の概要
【００１２】
上述したように、本発明の態様は、例えば、記載されており、ならびに／もしくは以下の請求項に記載されており、ならびに／もしくは添付図面に示されているタイプの足支持システム、履物、および／または他の足収容具に関する。このような足支持システム、履物、ならびに／もしくは他の足収容具は、記載されており、および／または以下の請求項に記載されており、および／または添付図面に示されている例の任意の１つまたは複数の構造、部品、特徴、特性、および／または構造、部品、特徴、ならびに／もしくは特性の組み合わせ（単数または複数）を含み得る。
【００１３】
いくつかのより具体的な実施例として、本発明の態様は少なくとも、以下の番号付き項目に記載されている対象に関する。
【００１４】
（項目１）
着用者の足の少なくとも一部を支持するための足支持ブラダと、
ポンプと、
足支持ブラダとポンプとの間に延在する第１の流体移送ラインと、
第１の流体移送ライン経由の足支持ブラダからポンプへの流体の移動を可能にするが、第１の流体移送ライン経由のポンプから足支持ブラダへの流体の移動を不可能にする第１の弁と、
流体リザーバと、
ポンプと流体リザーバとの間に延在する第２の流体移送ラインと、
第２の流体移送ライン経由のポンプから流体リザーバへの流体の移動を可能にするが、第２の流体移送ライン経由の流体リザーバからポンプへの流体の移動を不可能にする第２の弁と、
予備リザーバと、
予備リザーバとポンプ、流体リザーバ、または第２の流体移送ラインの少なくとも１つとの間に延在する第３の流体移送ラインと、
（ａ）予備リザーバとポンプ、流体リザーバ、または第２の流体移送ラインの少なくとも１つとの間で流体が移動する開放状態と、（ｂ）予備リザーバとポンプ、流体リザーバ、または第２の流体移送ラインのいずれかとの間で流体が移動しない閉鎖状態との間で、第３の流体移送ラインを変化させるための第１の流体流れ制御構造と、
流体リザーバと足支持ブラダとの間に延在する第４の流体移送ラインと、
（ａ）流体リザーバと足支持ブラダとの間で流体が移動する開放状態と、（ｂ）流体リザーバと足支持ブラダとの間で流体が移動しない閉鎖状態との間で、第４の流体移送ラインを変化させるための第２の流体流れ制御構造と
を備える流体密封足支持システム。
【００１５】
（項目２）
着用者の足の少なくとも一部を支持するための足支持ブラダと、
ポンプと、
足支持ブラダとポンプとの間に延在する第１の流体移送ラインと、
流体リザーバと、
ポンプと流体リザーバとの間に延在する第２の流体移送ラインと、
予備リザーバと、
予備リザーバとポンプ、流体リザーバ、または第２の流体移送ラインの少なくとも１つとの間に延在する第３の流体移送ラインと、
流体リザーバと足支持ブラダとの間に延在する第４の流体移送ラインと、
足支持ブラダと流体リザーバとの間で流体を移動させ、第１の圧力状態と、第１の圧力状態よりも低い圧力の第２の圧力状態と、第２の圧力状態よりも低い圧力の第３の圧力状態との間で足支持ブラダ内の流体圧力を変化させるための流体圧力調整システムと
を備える流体密封足支持システム。
【００１６】
（項目３）
第１の圧力状態において、流体圧力調整システムは、（ａ）ポンプと予備リザーバとの間の流体の移送を可能にするために第３の流体移送ラインを開放状態で維持し、または予備リザーバとポンプ、流体リザーバ、もしくは第２の流体移送ラインの各々との間の流体の移送を防止するために第３の流体移送ラインを閉鎖状態で維持し、（ｂ）流体リザーバと足支持ブラダとの間の流体の移送を可能にするために第４の流体移送ラインを開放状態で維持するように構成および配置される、項目２に記載の流体密封足支持システム。
【００１７】
（項目４）
第１の圧力状態における定常状態に達した後、足支持ブラダ、流体リザーバ、および予備リザーバ内の流体圧力は実質的に同じになる、項目３に記載の流体密封足支持システム。
【００１８】
（項目５）
第２の圧力状態において、流体圧力調整システムは、（ａ）ポンプと予備リザーバとの間の流体の移送を可能にするために第３の流体移送ラインを開放状態で維持し、（ｂ）流体リザーバと足支持ブラダとの間の流体の移送を防止するために第４の流体移送ラインを閉鎖状態で維持し、（ｃ）第１の流体移送ライン経由の足支持ブラダからポンプへの流体の移送を可能にするが、第１の流体移送ライン経由のポンプから足支持ブラダへの流体の移送を防止し、（ｄ）第２の流体移送ライン経由のポンプから流体リザーバへの流体の移送を可能にするが、第２の流体移送ライン経由の流体リザーバからポンプへの流体の移送を防止するように構成および配置される、項目２に記載の流体密封足支持システム。
【００１９】
（項目６）第２の圧力状態における定常状態に達した後、流体リザーバ内の流体圧力は足支持ブラダ内の流体圧力よりも高くなる、項目５に記載の流体密封足支持システム。
【００２０】
（項目７）
第３の圧力状態において、流体圧力調整システムは、（ａ）予備リザーバとポンプ、流体リザーバ、または第２の流体移送ラインの各々との間の流体の移送を防止するために第３の流体移送ラインを閉鎖状態で維持し、（ｂ）流体リザーバと足支持ブラダとの間の流体の移送を防止するために第４の流体移送ラインを閉鎖状態で維持し、（ｃ）第１の流体移送ライン経由の足支持ブラダからポンプへの流体の移送を可能にするが、第１の流体移送ライン経由のポンプから足支持ブラダへの流体の移送を防止し、（ｄ）第２の流体移送ライン経由のポンプから流体リザーバへの流体の移送を可能にするが、第２の流体移送ライン経由の流体リザーバからポンプへの流体の移送を防止するように構成および配置される、項目２に記載の流体密封足支持システム。
【００２１】
（項目８）
第３の圧力状態における定常状態に達した後、流体リザーバ内の流体圧力は予備リザーバ内の流体圧力よりも高くなり、予備リザーバ内の流体圧力は足支持ブラダ内の流体圧力よりも高くなる、項目７に記載の流体密封足支持システム。
【００２２】
（項目９）
第１の圧力状態において、流体圧力調整システムは、（ａ）ポンプと予備リザーバとの間の流体の移送を可能にするために第３の流体移送ラインを開放状態で維持し、（ｂ）流体リザーバと足支持ブラダとの間の流体の移送を可能にするために第４の流体移送ラインを開放状態で維持するように構成および配置され、
第２の圧力状態において、流体圧力調整システムは、（ａ）ポンプと予備リザーバとの間の流体の移送を可能にするために第３の流体移送ラインを開放状態で維持し、（ｂ）流体リザーバと足支持ブラダとの間の流体の移送を防止するために第４の流体移送ラインを閉鎖状態で維持し、（ｃ）第１の流体移送ライン経由の足支持ブラダからポンプへの流体の移送を可能にするが、第１の流体移送ライン経由のポンプから足支持ブラダへの流体の移送を防止し、（ｄ）第２の流体移送ライン経由のポンプから流体リザーバへの流体の移送を可能にするが、第２の流体移送ライン経由の流体リザーバからポンプへの流体の移送を防止するように構成および配置され、
第３の圧力状態において、流体圧力調整システムは、（ａ）予備リザーバとポンプ、流体リザーバ、または第２の流体移送ラインの各々との間の流体の移送を防止するために第３の流体移送ラインを閉鎖状態で維持し、（ｂ）流体リザーバと足支持ブラダとの間の流体の移送を防止するために第４の流体移送ラインを閉鎖状態で維持し、（ｃ）第１の流体移送ライン経由の足支持ブラダからポンプへの流体の移送を可能にするが、第１の流体移送ライン経由のポンプから足支持ブラダへの流体の移送を防止し、（ｄ）第２の流体移送ライン経由のポンプから流体リザーバへの流体の移送を可能にするが、第２の流体移送ライン経由の流体リザーバからポンプへの流体の移送を防止するように構成および配置される、項目２に記載の流体密封足支持システム。
【００２３】
（項目１０）
予備リザーバは、着用者の足の少なくとも一部を支持するための足支持ブラダよりも小さい容積のブラダを含む、項目１〜項目９のいずれかに記載の流体密封足支持システム。
【００２４】
（項目１１）
着用者の足の少なくとも一部を支持するための足支持ブラダであって、第１の流体貯蔵容積を画定する足支持ブラダと、
最大流体吐出容積を画定するように構成されたポンプであって、最大流体吐出容積はポンプによってポンプの単一ストロークサイクルで移動され得る最大流体容積に相当するポンプと、
足支持ブラダとポンプとの間に延在する第１の流体移送ラインであって、第２の流体貯蔵容積を画定する第１の流体移送ラインと、
第１の流体移送ライン経由の足支持ブラダからポンプへの流体の移動を可能にするが、第１の流体移送ライン経由のポンプから足支持ブラダへの流体の移動を不可能にする第１の弁と、
第３の流体貯蔵容積を画定する流体リザーバと、
ポンプと流体リザーバとの間に延在する第２の流体移送ラインであって、第４の流体貯蔵容積を画定する第２の流体移送ラインと、
第２の流体移送ライン経由のポンプから流体リザーバへの流体の移動を可能にするが、第２の流体移送ライン経由の流体リザーバからポンプへの流体の移動を不可能にする第２の弁と、
第１の流体貯蔵容積、第２の流体貯蔵容積、第３の流体貯蔵容積、および第４の流体貯蔵容積内に含まれるガス状流体と
を備える流体密封足支持システムであって、
最大流体吐出容積、第３の流体貯蔵容積、および第４の流体貯蔵容積は、（ａ）流体リザーバ内の流体圧力が第１の圧力レベル未満になったときに、ポンプの単一ストロークサイクルで移動された流体が第２の弁を介して流体リザーバ内へと移動し、（ｂ）流体リザーバ内の流体圧力が第１の圧力レベル以上になったときに、ポンプの単一ストロークサイクルで移動された流体が第２の流体移送ライン内へと移動するが、単一ストロークサイクルで移動された流体は第２の弁を介して流体を移動させるほど第２の流体移送ライン内の流体圧力を十分に上昇させないように選択される、流体密封足支持システム。
【００２５】
（項目１２）
第５の流体貯蔵容積を画定し、ポンプ、流体リザーバ、または第２の流体移送ラインの少なくとも１つと流体連通している予備リザーバをさらに備え、最大流体吐出容積、第３の流体貯蔵容積、第４の流体貯蔵容積、および第５の流体貯蔵容積は、（ａ）流体リザーバ内の流体圧力が、第１の圧力レベル未満である第３の圧力レベル未満になったときに、ポンプの単一ストロークサイクルで移動された流体が第２の弁を介して流体リザーバ内へと移動し、（ｂ）流体リザーバ内の流体圧力が第３の圧力レベル以上になったときに、ポンプの単一ストロークサイクルで移動された流体が第２の流体移送ラインまたは予備リザーバの少なくとも一方へと移動するが、単一ストロークサイクルで移動された流体は第２の弁を介して流体を移動させるほど第２の流体移送ライン内の流体圧力を十分に上昇させないように選択される、項目１１に記載の流体密封足支持システム。
【００２６】
（項目１３）
着用者の足の少なくとも一部を支持するための足支持ブラダと、
ポンプと、
足支持ブラダとポンプとの間に延在する第１の流体移送ラインと、
第１の流体移送ライン経由の足支持ブラダからポンプへの流体の移動を可能にするが、第１の流体移送ライン経由のポンプから足支持ブラダへの流体の移動を不可能にする第１の弁と、
流体リザーバと、
ポンプと流体リザーバとの間に延在する第２の流体移送ラインと、
第２の流体移送ライン経由のポンプから流体リザーバへの流体の移動を可能にするが、第２の流体移送ライン経由の流体リザーバからポンプへの流体の移動を不可能にする第２の弁と、
第１の流体移送ラインと第２の流体移送ラインとの間に延在する第３の流体移送ラインと、
第１の流体移送ラインと第２の流体移送ラインとの間に延在する第４の流体移送ラインであって、第３の流体移送ラインとは分離された第４の流体移送ラインと、
（ａ）足支持ブラダから流体リザーバへの第１の経路内で、または（ｂ）流体リザーバから足支持ブラダへの第２の経路内で、流体を移動させるための流体流れ方向調整システムであって、流体が第１の経路および第２の経路の両方に移動したときに、流体は第１の流体移送ラインから、ポンプを通って、第２の流体移送ラインへと移動する、流体流れ方向調整システムと
を備える流体密封足支持システム。
【００２７】
（項目１４）
流体流れ方向調整システムは、第１の経路内で、流体が足支持ブラダから第１の流体移送ラインへと引き込まれ、ポンプを通って、第２の流体移送ライン、そして流体リザーバへと引き込まれ、第３の移送ラインおよび第４の流体移送ラインは閉鎖状態で維持されるように構成および配置され、
流体流れ方向調整システムは、第２の経路内で、（ａ）流体が流体リザーバから第２の流体移送ライン、第３の流体移送ライン、第１の流体移送ラインへと引き込まれ、ポンプを通って、第２の流体移送ライン、第４の流体移送ライン、第１の流体移送ライン、そして足支持ブラダへと引き込まれ、（ｂ）第１の流体移送ラインは、流体が第１の流体移送ライン経由で第３の流体移送ラインから直接足支持ブラダへと流れるのを防止するように所定位置において閉鎖状態で維持され、（ｃ）第２の流体移送ラインは、流体が第２の流体移送ライン経由で第２の流体移送ラインから直接流体リザーバへと流れるのを防止するように所定位置において閉鎖状態で維持されるように構成および配置される、項目１３に記載の流体密封足支持システム。
【００２８】
（項目１５）
第３の流体移送ラインは、第２の経路に沿って第３の流体移送ラインから第１の流体移送ラインへと流れる流体がポンプに到達する前に第１の弁を通過するように所定位置で第１の流体移送ラインに接続される、項目１４に記載の流体密封足支持システム。
【００２９】
（項目１６）
第４の流体移送ラインは、第２の経路に沿ってポンプから第２の流体移送ラインへと流れる流体が第４の流体移送ラインに到達する前に第２の弁を通過するように所定位置で第２の流体移送ラインに接続される、項目１４または項目１５に記載の流体密封足支持システム。
【００３０】
（項目１７）
流体リザーバは、少なくとも１つの流体充填ブラダ構造を含む、項目１３〜項目１６のいずれかに記載の流体密封足支持システム。
【００３１】
（項目１８）
着用者の足の少なくとも一部を支持するための足支持ブラダと、
ポンプと、
足支持ブラダとポンプとの間に延在する第１の流体移送ラインと、
流体リザーバと、
ポンプと流体リザーバとの間に延在する第２の流体移送ラインと、
流体リザーバと足支持ブラダとの間に延在する第３の流体移送ラインと、
少なくとも第１の圧力状態と第１の圧力状態よりも低い圧力の第２の圧力状態との間で足支持ブラダ内の流体圧力を変化させるための流体圧力調整システムと
を備える流体密封足支持システムであって、流体圧力調整システムは流体入口および流体出口を含む圧力調整器を含み、圧力調整器は第１の圧力状態と第２の圧力状態との間で変化させるために流体入口と流体出口との間の圧力差を発生させる、流体密封足支持システム。
【００３２】
（項目１９）
圧力調整器は、第２の流体移送ライン内に設けられる、項目１８に記載の流体密封足支持システム。
【００３３】
（項目２０）
圧力調整器は、第３の流体移送ライン内に設けられる、項目１８に記載の流体密封足支持システム。
【００３４】
（項目２１）
項目１〜項目２０のいずれか１つに記載の流体密封足支持システムを含む履物もしくは他の足収容具。
【００３５】
（項目２２）
流体リザーバを含むアッパーまたは他の足被覆部材と、
アッパーまたは他の足被覆部材と係合されるソール構造または他の足支持部材であって、（ａ）着用者の足の少なくとも一部を支持するための足支持ブラダ、（ｂ）着用者の足と接触面との接触によって作動されるように配置されたポンプ、（ｃ）足支持ブラダとポンプとの間に延在する第１の流体移送ライン、および（ｄ）第１の流体移送ライン経由の足支持ブラダからポンプへの流体の移動を可能にするが、第１の流体移送ライン経由のポンプから足支持ブラダへの流体の移動を不可能にする第１の弁を含むソール構造または他の足支持部材と、
ポンプと流体リザーバとの間に延在する第２の流体移送ラインと、
第２の流体移送ライン経由のポンプから流体リザーバへの流体の移動を可能にするが、第２の流体移送ライン経由の流体リザーバからポンプへの流体の移動を不可能にする第２の弁と、
予備リザーバと、
予備リザーバとポンプ、流体リザーバ、または第２の流体移送ラインの少なくとも１つとの間に延在する第３の流体移送ラインと、
（ａ）予備リザーバとポンプ、流体リザーバ、または第２の流体移送ラインの少なくとも１つとの間で流体が移動する開放状態と、（ｂ）予備リザーバとポンプ、流体リザーバ、または第２の流体移送ラインのいずれかとの間で流体が移動しない閉鎖状態との間で、第３の流体移送ラインを変化させるための第１の流体流れ制御構造と、
流体リザーバと足支持ブラダとの間に延在する第４の流体移送ラインと、
（ａ）流体リザーバと足支持ブラダとの間で流体が移動する開放状態と、（ｂ）流体リザーバと足支持ブラダとの間で流体が移動しない閉鎖状態との間で、第４の流体移送ラインを変化させるための第２の流体流れ制御構造と
を備える履物または他の足収容具。
【００３６】
（項目２３）
流体リザーバを含むアッパーまたは他の足被覆部材と、
アッパーまたは他の足被覆部材と係合されるソール構造または他の足支持部材であって、（ａ）着用者の足の少なくとも一部を支持するための足支持ブラダ、（ｂ）着用者の足と接触面との接触によって作動されるように配置されたポンプ、および（ｃ）足支持ブラダとポンプとの間に延在する第１の流体移送ラインを含むソール構造または他の足支持部材と、
ポンプと流体リザーバとの間に延在する第２の流体移送ラインと、
予備リザーバと、
予備リザーバとポンプ、流体リザーバ、または第２の流体移送ラインの少なくとも１つとの間に延在する第３の流体移送ラインと、
流体リザーバと足支持ブラダとの間に延在する第４の流体移送ラインと、
足支持ブラダと流体リザーバとの間で流体を移動させ、第１の圧力状態と、第１の圧力状態よりも低い圧力の第２の圧力状態と、第２の圧力状態よりも低い圧力の第３の圧力状態との間で足支持ブラダ内の流体圧力を変化させるための流体圧力調整システムと
を備える履物または他の足収容具。
【００３７】
（項目２４）第１の圧力状態において、流体圧力調整システムは、（ａ）ポンプと予備リザーバとの間の流体の移送を可能にするために第３の流体移送ラインを開放状態で維持し、または予備リザーバとポンプ、流体リザーバ、もしくは第２の流体移送ラインの各々との間の流体の移送を防止するために第３の流体移送ラインを閉鎖状態で維持し、（ｂ）流体リザーバと足支持ブラダとの間の流体の移送を可能にするために第４の流体移送ラインを開放状態で維持するように構成および配置される、項目２３に記載の履物または他の足収容具。
【００３８】
（項目２５）
第１の圧力状態における定常状態に達した後、足支持ブラダ、流体リザーバ、および予備リザーバ内の流体圧力は実質的に同じになる、項目２４に記載の履物または他の足収容具。
【００３９】
（項目２６）
第２の圧力状態において、流体圧力調整システムは、（ａ）ポンプと予備リザーバとの間の流体の移送を可能にするために第３の流体移送ラインを開放状態で維持し、（ｂ）流体リザーバと足支持ブラダとの間の流体の移送を防止するために第４の流体移送ラインを閉鎖状態で維持し、（ｃ）第１の流体移送ライン経由の足支持ブラダからポンプへの流体の移送を可能にするが、第１の流体移送ライン経由のポンプから足支持ブラダへの流体の移送を防止し、（ｄ）第２の流体移送ライン経由のポンプから流体リザーバへの流体の移送を可能にするが、第２の流体移送ライン経由の流体リザーバからポンプへの流体の移送を防止するように構成および配置される、項目２３に記載の履物または他の足収容具。
【００４０】
（項目２７）
第２の圧力状態における定常状態に達した後、流体リザーバ内の流体圧力は足支持ブラダ内の流体圧力よりも高くなる、項目２６に記載の履物または他の足収容具。
【００４１】
（項目２８）第３の圧力状態において、流体圧力調整システムは、（ａ）予備リザーバとポンプ、流体リザーバ、または第２の流体移送ラインの各々との間の流体の移送を防止するために第３の流体移送ラインを閉鎖状態で維持し、（ｂ）流体リザーバと足支持ブラダとの間の流体の移送を防止するために第４の流体移送ラインを閉鎖状態で維持し、（ｃ）第１の流体移送ライン経由の足支持ブラダからポンプへの流体の移送を可能にするが、第１の流体移送ライン経由のポンプから足支持ブラダへの流体の移送を防止し、（ｄ）第２の流体移送ライン経由のポンプから流体リザーバへの流体の移送を可能にするが、第２の流体移送ライン経由の流体リザーバからポンプへの流体の移送を防止するように構成および配置される、項目２３に記載の履物または他の足収容具。
【００４２】
（項目２９）
第３の圧力状態における定常状態に達した後、流体リザーバ内の流体圧力は予備リザーバ内の流体圧力よりも高くなり、予備リザーバ内の流体圧力は足支持ブラダ内の流体圧力よりも高くなる、項目２８に記載の履物または他の足収容具。
【００４３】
（項目３０）
第１の圧力状態において、流体圧力調整システムは、（ａ）ポンプと予備リザーバとの間の流体の移送を可能にするために第３の流体移送ラインを開放状態で維持し、（ｂ）流体リザーバと足支持ブラダとの間の流体の移送を可能にするために第４の流体移送ラインを開放状態で維持するように構成および配置され、
第２の圧力状態において、流体圧力調整システムは、（ａ）流体リザーバと予備リザーバとの間の流体の移送を可能にするために第３の流体移送ラインを開放状態で維持し、（ｂ）流体リザーバと足支持ブラダとの間の流体の移送を防止するために第４の流体移送ラインを閉鎖状態で維持し、（ｃ）第１の流体移送ライン経由の足支持ブラダからポンプへの流体の移送を可能にするが、第１の流体移送ライン経由のポンプから足支持ブラダへの流体の移送を防止し、（ｄ）第２の流体移送ライン経由のポンプから流体リザーバへの流体の移送を可能にするが、第２の流体移送ライン経由の流体リザーバからポンプへの流体の移送を防止するように構成および配置され、
第３の圧力状態において、流体圧力調整システムは、（ａ）予備リザーバとポンプ、流体リザーバ、または第２の流体移送ラインの各々との間の流体の移送を防止するために第３の流体移送ラインを閉鎖状態で維持し、（ｂ）流体リザーバと足支持ブラダとの間の流体の移送を防止するために第４の流体移送ラインを閉鎖状態で維持し、（ｃ）第１の流体移送ライン経由の足支持ブラダからポンプへの流体の移送を可能にするが、第１の流体移送ライン経由のポンプから足支持ブラダへの流体の移送を防止し、（ｄ）第２の流体移送ライン経由のポンプから流体リザーバへの流体の移送を可能にするが、第２の流体移送ライン経由の流体リザーバからポンプへの流体の移送を防止するように構成および配置される、項目２３に記載の履物または他の足収容具。
【００４４】
（項目３１）
予備リザーバは、着用者の足の少なくとも一部を支持するための足支持ブラダよりも小さい容積を有するブラダを含む、項目２３〜項目３０のいずれか１つに記載の履物または他の足収容具。
【００４５】
（項目３２）
（ａ）着用者の足の少なくとも一部を支持するための足支持ブラダであって、第１の流体貯蔵容積を画定する足支持ブラダ、（ｂ）最大流体吐出容積を画定するように構成されたポンプであって、最大流体吐出容積はポンプの単一ストロークサイクルでポンプによって移動され得る最大流体容積に相当する、ポンプ、（ｃ）足支持ブラダとポンプとの間に延在する第１の流体移送ラインであって、第２の流体貯蔵容積を画定する第１の流体移送ライン、および（ｄ）第１の流体移送ライン経由の足支持ブラダからポンプへの流体の移動を可能にするが、第１の流体移送ライン経由のポンプから足支持ブラダへの流体の移動を不可能にする第１の弁を含むソール構造または他の足支持部材と、
ソール構造または他の足支持部材と係合されるアッパーまたは他の足被覆部材であって、第３の流体貯蔵容積を画定する流体リザーバを含むアッパーまたは他の足被覆部材と、
ポンプと流体リザーバとの間に延在する第２の流体移送ラインであって、第４の流体貯蔵容積を画定する第２の流体移送ラインと、
第２の流体移送ライン経由のポンプから流体リザーバへの流体の移動を可能にするが、第２の流体移送ライン経由の流体リザーバからポンプへの流体の移動を不可能にする第２の弁と、
第１の流体貯蔵容積、第２の流体貯蔵容積、第３の流体貯蔵容積、および第４の流体貯蔵容積内に含まれるガス状流体と
を備える履物または他の足収容具であって、
最大流体吐出容積、第３の流体貯蔵容積、および第４の流体貯蔵容積は、（ａ）流体リザーバ内の流体圧力が第１の圧力レベル未満になったときに、ポンプの単一ストロークサイクルで移動された流体が第２の弁を介して流体リザーバ内へと移動し、（ｂ）流体リザーバ内の流体圧力が第１の圧力レベル以上になったときに、ポンプの単一ストロークサイクルで移動された流体が第２の流体移送ライン内へと移動するが、単一ストロークサイクルで移動された流体は第２の弁を介して流体を移動させるほど第２の流体移送ライン内の流体圧力を十分に上昇させないように選択される、履物または他の足収容具。
【００４６】
（項目３３）
第５の流体貯蔵容積を画定し、ポンプ、流体リザーバ、または第２の流体移送ラインの少なくとも１つと流体連通している予備リザーバをさらに備え、最大流体吐出容積、第３の流体貯蔵容積、第４の流体貯蔵容積、および第５の流体貯蔵容積は、（ａ）流体リザーバ内の流体圧力が、前記第１の圧力レベル未満である第３の圧力レベル未満になったときに、ポンプの単一ストロークサイクルで移動された流体が第２の弁を介して流体リザーバ内へと移動し、（ｂ）流体リザーバ内の流体圧力が第３の圧力レベル以上になったときに、ポンプの単一ストロークサイクルで移動された流体が第２の流体移送ラインまたは予備リザーバの少なくとも一方へと移動するが、単一ストロークサイクルで移動された流体は第２の弁を介して流体を移動させるほど第２の流体移送ライン内の流体圧力を十分に上昇させないように選択される、項目３２に記載の履物または他の足収容具。
【００４７】
（項目３４）
流体リザーバを含むアッパーまたは他の足被覆部材と、
アッパーまたは他の足被覆部材と係合されるソール構造または他の足支持部材であって、（ａ）着用者の足の少なくとも一部を支持するための足支持ブラダ、（ｂ）着用者の足と接触面との接触によって作動されるように配置されたポンプ、（ｃ）足支持ブラダとポンプとの間に延在する第１の流体移送ライン、および（ｄ）第１の流体移送ライン経由の足支持ブラダからポンプへの流体の移動を可能にするが、第１の流体移送ライン経由のポンプから足支持ブラダへの流体の移動を不可能にする第１の弁を含むソール構造または他の足支持部材と、
ポンプと流体リザーバとの間に延在する第２の流体移送ラインと、
第２の流体移送ライン経由のポンプから流体リザーバへの流体の移動を可能にするが、第２の流体移送ライン経由の流体リザーバからポンプへの流体の移動を不可能にする第２の弁と、
第１の流体移送ラインと第２の流体移送ラインとの間に延在する第３の流体移送ラインと、
第１の流体移送ラインと第２の流体移送ラインとの間に延在する第４の流体移送ラインであって、第３の流体移送ラインとは分離された第４の流体移送ラインと、
（ａ）足支持ブラダから流体リザーバへの第１の経路内で、または（ｂ）流体リザーバから足支持ブラダへの第２の経路内で、流体を移動させるための流体流れ方向調整システムであって、流体が第１の経路および第２の経路の両方に移動したときに、流体は第１の流体移送ラインから、ポンプを通って、第２の流体移送ラインへと移動する、流体流れ方向調整システムと
を備える履物または他の足収容具。
【００４８】
（項目３５）
流体流れ方向調整システムは、第１の経路内で、流体が足支持ブラダから第１の流体移送ラインへと引き込まれ、ポンプを通って、第２の流体移送ライン、そして流体リザーバへと引き込まれ、第３および第４の流体経路は閉鎖状態で維持されるように構成および配置され、
流体流れ方向調整システムは、第２の経路内で、（ａ）流体が流体リザーバから第２の流体移送ライン、第３の流体移送ライン、第１の流体移送ラインへと引き込まれ、ポンプを通って、第２の流体移送ライン、第４の流体移送ライン、第１の流体移送ライン、そして足支持ブラダへと引き込まれ、（ｂ）第１の流体移送ラインは、流体が第１の流体移送ライン経由で第３の流体移送ラインから直接足支持ブラダへと流れるのを防止するように所定位置において閉鎖状態で維持され、（ｃ）第２の流体移送ラインは、流体が第２の流体移送ライン経由で第２の流体移送ラインから直接流体リザーバへと流れるのを防止するように所定位置において閉鎖状態で維持されるように構成および配置される、項目３４に記載の履物または他の足収容具。
【００４９】
（項目３６）
第３の流体移送ラインは、第２の経路に沿って第３の流体移送ラインから第１の流体移送ラインへと流れる流体がポンプに到達する前に第１の弁を通過するように所定位置で第１の流体移送ラインに接続される、項目３５に記載の履物または他の足収容具。
【００５０】
（項目３７）
第４の流体移送ラインは、第２の経路に沿ってポンプから第２の流体移送ラインへと流れる流体が第４の流体移送ラインに到達する前に第２の弁を通過するように所定位置で第２の流体移送ラインに接続される、項目３５または項目３６に記載の履物または他の足収容具。
【００５１】
（項目３８）
流体リザーバは、少なくとも１つの流体充填ブラダ構造を含む、項目２３〜項目３７のいずれか１つに記載の履物または他の足収容具。
【００５２】
（項目３９）
流体リザーバは、アッパーまたは他の足被覆部材の踵領域を包み込む少なくとも１つの流体充填ブラダ構造を含む、項目２３〜項目３７のいずれか１つに記載の履物または他の足収容具。
【００５３】
（項目４０）
第１の主要面、第１の主要面の反対側の第２の主要面、および第１の内部チャンバを含む第１の流体充填ブラダチャンバと、
第３の主要面、第３の主要面の反対側の第４の主要面、および第２の内部チャンバを含む第２の流体充填ブラダチャンバであって、第３の主要面は第２の主要面と対向する、第２の流体充填ブラダチャンバと、
第１の内部チャンバと第２の内部チャンバとを互いに流体連通させる第１の流体流れラインと、
第１の内部チャンバと第２の内部チャンバとの間の流体流れが生じる開放形態と第１の内部チャンバと第２の内部チャンバとの間の流体流れが停止される閉鎖形態との間で第１の流体流れラインを選択的に変化させるための流体流れ制御システムと
を備える足支持システム。
【００５４】
（項目４１）
第１の流体充填ブラダチャンバは、使用者の足の足底面の大部分を支持するための支持面を形成するように寸法決めおよび成形され、第２の流体充填ブラダチャンバは、第３の主要面が第２の主要面の全表面積の少なくとも６０％に直接隣接するように寸法決めおよび成形される、項目４０に記載の足支持システム。
【００５５】
（項目４２）
ポンプ装置と、
第１の内部チャンバをポンプ装置と流体連通させる第２の流体流れラインと、
ポンプ装置を第２の内部チャンバと流体連通させる第３の流体流れラインと
をさらに備える、項目４０または項目４１の足支持システム。
【００５６】
（項目４３）
予備流体チャンバと、
予備流体チャンバを第２の内部チャンバ、ポンプ装置、または第３の流体流れラインの少なくとも１つと流体連通させる第４の流体流れラインと
をさらに備える、項目４２に記載の足支持システム。
【００５７】
（項目４４）
流体流れ制御システムは、予備流体チャンバと第２の内部チャンバ、ポンプ装置、または第３の流体流れラインの前記少なくとも１つとの間の流体流れが生じる開放形態と、予備流体チャンバと第２の内部チャンバ、ポンプ装置、または第３の流体流れラインの前記少なくとも１つとの間の流体流れが停止される閉鎖形態との間で第４の流体流れラインを選択的に変化させる、項目４３に記載の足支持システム。
【００５８】
（項目４５）
第１の熱可塑性材料シートと、
第１の熱可塑性材料シートに封止された第２の熱可塑性材料シートと
を備える足支持システムであって、第１の熱可塑性材料シートを第２の熱可塑性材料シートに接合するシールラインは、
第１の熱可塑性材料シートと第２の熱可塑性材料シートとの間の第１の内部チャンバを画定する第１の流体充填ブラダチャンバ、
第１の熱可塑性材料シートと第２の熱可塑性材料シートとの間の第２の内部チャンバを画定する第２の流体充填ブラダチャンバ、および
第１の内部チャンバと第２の内部チャンバとを互いに流体連通させる第１の流体流れライン
を形成するように成形され、
足支持システムにおいて、（ａ）第１の流体充填ブラダチャンバを画定する第２の熱可塑性材料シートの外表面の一部が第２の流体充填ブラダチャンバを画定する第２の熱可塑性材料シートの外表面の一部に直接対向し、（ｂ）第１の流体充填ブラダチャンバを画定する第１の熱可塑性材料シートの外表面の一部が第２の流体充填ブラダチャンバを画定する第１の熱可塑性材料シートの外表面の一部とは反対側を向くように、第１の流体充填ブラダチャンバは第２の流体充填ブラダチャンバに対して移動可能である、足支持システム。
【００５９】
（項目４６）
第１の流体充填ブラダチャンバを画定する第２の熱可塑性材料シートの外表面の一部は、第２の流体充填ブラダチャンバを画定する第２の熱可塑性材料シートの外表面の一部に直接接触する、項目４５に記載の足支持システム。
【００６０】
（項目４７）
第１の流体流れラインは、第１の内部チャンバと流体連通している第１のセグメントと、第２の内部チャンバと流体連通している第２のセグメントと、第１のセグメントと第２のセグメントとを互いに流体連通させる非線形接続部とを含む、項目４０〜項目４６のいずれか１つに記載の足支持システム。
【００６１】
（項目４８）
第１の熱可塑性材料シートと、
第１の熱可塑性材料シートに封止された第２の熱可塑性材料シートと
を備える足支持システムであって、第１の熱可塑性材料シートを第２の熱可塑性材料シートに接合するシールラインは、
第１の熱可塑性材料シートと第２の熱可塑性材料シートとの間の第１の内部チャンバを画定する第１の流体充填ブラダチャンバ、
第１の熱可塑性材料シートと第２の熱可塑性材料シートとの間の第２の内部チャンバを画定する第２の流体充填ブラダチャンバ、および
第１の内部チャンバと第２の内部チャンバとを互いに流体連通させる第１の流体流れラインであって、第１の内部チャンバと流体連通している第１のセグメントと、第２の内部チャンバと流体連通している第２のセグメントと、第１のセグメントと第２のセグメントとを互いに流体連通させる非線形接続部とを含む第１の流体流れライン
を形成するように成形され、
第１の流体充填ブラダチャンバが使用者の足の足底面を支持するような向きで配置されたときに、第２の流体ブラダチャンバは、（ａ）第１の流体充填ブラダチャンバに対して少なくとも部分的に上下に積み重ねて、または（ｂ）第１の流体充填ブラダチャンバの外周縁の一部の周囲に配置される、足支持システム。
【００６２】
（項目４９）
非線形接続部は、第１のセグメントから第２のセグメントへと延在するＵ字管を含む、項目４７または項目４８に記載の足支持システム。
【００６３】
（項目５０）
非線形接続部は、第１のセグメントと第２のセグメントとの間に少なくとも４つの屈曲部を画定し、少なくとも４つの屈曲部のうちの少なくとも２つの屈曲部は６０°〜１２０°の角度を形成する、項目４７または項目４８に記載の足支持システム。
【００６４】
（項目５１）
非線形接続部は、ジグザグ形状またはヘリンボーン形状を画定する、項目４７または項目４８に記載の足支持システム。
【００６５】
（項目５２）
第１の熱可塑性材料シートを第２の熱可塑性材料シートに接合するシールラインはさらに、
内部ポンプチャンバを含むポンプ部、
第１の内部チャンバを内部ポンプチャンバと流体連通させる第２の流体流れライン、および
内部ポンプチャンバを第２の内部チャンバと流体連通させる第３の流体流れライン
を形成するように成形される、項目４５、項目４６、または項目４８〜項目５１に記載の足支持システム。
【００６６】
（項目５３）
第１の熱可塑性材料シートを第２の熱可塑性材料シートに接合するシールラインはさらに、
予備流体チャンバ、および
予備流体チャンバを第２の内部チャンバ、内部ポンプチャンバ、または第３の流体流れラインの少なくとも１つと流体連通させる第４の流体流れライン
を形成するように成形される、項目５２に記載の足支持システム。
【００６７】
（項目５４）
履物ソール構造または他の足支持部材をさらに備え、第１の流体充填ブラダチャンバおよび第２の流体充填ブラダチャンバの少なくとも一方は、履物ソール構造または他の足支持部材と係合される、項目４０〜項目５３のいずれか１つに記載の足支持システム。
【００６８】
（項目５５）
履物ソール構造または他の足支持部材は、第２の流体充填ブラダチャンバの底面の少なくとも大部分を覆う内表面を含む高分子発泡材を含む、項目５４に記載の足支持システム。
【００６９】
（項目５６）
履物ソール構造または他の足支持部材は、第２の流体充填ブラダチャンバの底面の少なくとも大部分を覆う内表面を含むアウトソール要素または他の地面係合要素を含む、項目５５に記載の足支持システム。
【００７０】
（項目５７）
履物ソール構造または他の足支持部材は上面および底面を含み、上面は上面に画定された凹部を含み、少なくとも第２の流体充填ブラダチャンバは凹部内に収容される、項目５４〜項目５６のいずれか１つに記載の足支持システム。
【００７１】
（項目５８）
第１の流体充填ブラダチャンバは、使用者の足の足底面の大部分を支持するための支持面を形成するように寸法決めおよび成形され、第２の流体充填ブラダチャンバは、履物ソール構造または他の足支持部材内の第１の流体充填ブラダチャンバの下に配置される、項目５４〜項目５７のいずれか１つに記載の足支持システム。
【００７２】
（項目５９）
第１の流体流れラインは第１の内部チャンバから第２の内部チャンバへと延在する密閉流路を画定し、第１の流体流れラインの望ましくない完全閉鎖を防止するために流体流れ支持要素が密閉流路内に設けられる、項目４０〜項目４８のいずれか１つに記載の足支持システム。
【００７３】
（項目６０）
流体流れ支持要素は、密閉流路を画定する対向内表面間に延在する引張部材を含む、項目５９に記載の足支持システム。
【００７４】
（項目６１）
第１の流体流れラインは、第１の内部チャンバと第２の内部チャンバとの間の唯一の直接流体接続部である、項目４０〜項目６０のいずれか１つに記載の足支持システム。
【００７５】
（項目６２）
第１の流体流れラインは、第１の内部チャンバと第２の内部チャンバとの間の所定位置において第１の流体流れラインを通る流体流れ方向に対して横断方向の４ｃｍ２未満の内部断面積を有する、項目４０〜項目６１のいずれか１つに記載の足支持システム。
【００７６】
（項目６３）
第１の流体流れラインは、第１の内部チャンバと第２の内部チャンバとの間の８ｃｍ３未満の内部容積を画定する、項目４０〜項目６２のいずれか１つに記載の足支持システム。
【００７７】
（項目６４）
第１の流体充填ブラダチャンバの第１の内部チャンバは、使用者の足の足底面の大部分を支持するための支持面を形成するように寸法決めおよび成形され、第２の流体充填ブラダチャンバの第２の内部チャンバは、第１の内部チャンバ内の流体圧力を選択的に変化させることができるように、第２の流体充填ブラダチャンバ内に選択的に保持される、または第２の流体充填ブラダチャンバから選択的に放出される流体のリザーバ容積を形成する、項目４０〜項目６３のいずれか１つに記載の足支持システム。
【００７８】
（項目６５）
アッパーまたは他の足被覆部材と、
アッパーまたは他の足被覆部材と係合される項目４０〜項目６４のいずれかに記載の足支持システムと
を備える履物または他の足収容具。
【００７９】
（項目６６）
アッパーまたは他の足被覆部材と、
アッパーまたは他の足被覆部材と係合されるソール構造または他の足支持部材と、
第１の熱可塑性材料シートと、
第１の熱可塑性材料シートに封止された第２の熱可塑性材料シートと
を備える履物または他の足収容具であって、第１の熱可塑性材料シートを第２の熱可塑性材料シートに接合するシールラインは、
第１の熱可塑性材料シートと第２の熱可塑性材料シートとの間の第１の内部チャンバを画定する第１の流体充填ブラダチャンバであって、ソール構造または他の足支持部材と係合され、着用者の足の足底支持部材の少なくとも一部を形成する、第１の流体充填ブラダチャンバ、
第１の熱可塑性材料シートと第２の熱可塑性材料シートとの間の第２の内部チャンバを画定する第２の流体充填ブラダチャンバであって、（ａ）ソール構造または他の足支持部材内の第１の流体充填ブラダチャンバに対して少なくとも部分的に上下に積み重ねられ、または（ｂ）アッパーまたは他の足被覆部材と係合される、第２の流体充填ブラダチャンバ、および
第１の内部チャンバと第２の内部チャンバとを互いに流体連通させる第１の流体流れラインであって、第１の内部チャンバと流体連通している第１のセグメントと、第２の内部チャンバと流体連通している第２のセグメントと、第１のセグメントと第２のセグメントとを互いに流体連通させる非線形接続部とを含む第１の流体流れライン
を形成するように成形される履物または他の足収容具。
【００８０】
（項目６７）
第２の流体充填ブラダチャンバは、ソール構造または他の足支持部材内の第１の流体充填ブラダチャンバと係合され、第１の流体充填ブラダチャンバに対して少なくとも部分的に上下に積み重ねられる、項目６６に記載の履物または他の足収容具。
【００８１】
（項目６８）
第２の流体充填ブラダチャンバは、アッパーまたは他の足被覆部材と係合される、項目６６に記載の履物または他の足収容具。
【００８２】
（項目６９）
第２の流体充填ブラダチャンバは、第１の流体充填ブラダチャンバの外周縁の一部の周囲に延在する、項目６８に記載の履物または他の足収容具。
【００８３】
（項目７０）
非線形接続部は、第１のセグメントから第２のセグメントへと延在するＵ字管を含む、項目６６〜項目６９のいずれか１つに記載の履物または他の足収容具。
【００８４】
（項目７１）
非線形接続部は、第１のセグメントと第２のセグメントとの間に少なくとも４つの屈曲部を画定し、少なくとも４つの屈曲部のうちの少なくとも２つの屈曲部は６０°〜１２０°の角度を形成する、項目６６〜項目６９に記載の履物または他の足収容具。
【００８５】
（項目７２）
非線形接続部は、ジグザグ形状またはヘリンボーン形状を画定する、項目６６〜項目６９に記載の履物または他の足収容具。
【００８６】
上記の本発明の特定の実施形態に係る特徴、態様、構造、プロセス、および配置の概要を前提として、本発明の特定の例の足支持構造、履物、および方法について、以下でさらに詳細に説明する。
II.本発明に係る実施例の足支持システムおよび他の構成要素／特徴の詳細な説明
【００８７】
図面および以下の考察を参照しながら、本発明の態様に係る足支持システムの様々な例について説明する。図１Ａは、本発明のいくつかの態様に係る第１の例の足支持システム１００を示す図であり、図１Ｂは、履物１０００に組み込まれたこの足支持システム１００を示す図であり、図１Ｃおよび図１Ｄは、履物１０００のソール構造１００４内の足支持システム１００の一部を示す図（ソール構造１００４を明確に示すために流体リザーバブラダ１０４は省略されている）であり、図１Ｅは、図１Ａに示された領域の拡大図であり、図１Ｆ〜図１Ｈ（２）は、本発明の少なくともいくつかの実施例で使用され得る流体流れライン用の様々なピンチ防止構造を示す図である。
【００８８】
本発明の少なくともいくつかの態様に係る足支持システム１００は、流体密封式（例えば、封入ガスで密閉される）であり得、任意で、閉鎖システム（例えば、外部源（例えば、周囲雰囲気）から流体（例えば、ガス）を取り込まない／収容しない、および／または外部環境へ流体（例えば、ガス）を放出しないシステム）であり得る。足支持ブラダ１０２（内部チャンバ１０２Ｉを含む）が設けられる。様々なサイズおよび／または形状が可能であるが、このタイプの少なくともいくつかの足支持ブラダ１０２は、使用者の足の足底面（例えば、少なくとも踵支持部１０２Ｈおよび前足部支持部１０２Ｆを形成する、踵支持部１０２Ｈ、中足部支持部１０２Ｍ、および前足部支持部１０２Ｆを形成するように連続的に延在する、および／またはこれらの支持部１０２Ｈ、１０２Ｍ、および／または１０２Ｆの１つまたは複数において外側縁から内側縁に延在するなど）の大部分を支持するように寸法決めおよび成形される。いくつかの追加のオプションとして、このタイプの足支持ブラダ１０２は、使用者の足の足底面の少なくとも６０％、少なくとも７０％、少なくとも８０％、少なくとも９０％、または最大で１００％を支持し得る。
【００８９】
この実施例の足支持システム１００はさらに、流体リザーバブラダ１０４（内部チャンバ１０４Ｉを含む）を含む。第１の流体移送ライン１０６は、足支持ブラダ１０２の内部チャンバ１０２Ｉを流体リザーバブラダ１０４の内部チャンバ１０４Ｉと相互接続し、これらのブラダ（およびそれらの内部チャンバ）を互いに流体連通させる。この図示されている例では、この第１の流体移送ライン１０６は、足支持ブラダ１０２の内部チャンバ１０２Ｉと流体リザーバブラダ１０４の内部チャンバ１０４Ｉとの間の唯一の直接流体接続部である。流体流れ制御システム１０８（例えば、弁、管状「ピンチオフ」構造など、図１Ｂ参照）は、（ａ）開放状態（足支持ブラダ１０２の内部チャンバ１０２Ｉとリザーバブラダ１０４の内部チャンバ１０４Ｉとの間の流体流れが生じる）と、（ｂ）閉鎖状態（足支持ブラダ１０２の内部チャンバ１０２Ｉと流体リザーバブラダ１０４の内部チャンバ１０４Ｉとの間の流体流れが停止される）との間で、第１の流体移送ライン１０６を選択的に変化させるように設けられ得る。
【００９０】
図１Ａおよび図１Ｄはさらに、本発明の少なくともいくつかの態様に係る足支持システム１００内に設けられ得るポンプ１１０を示している。本発明から逸脱せずに、逆転ポンプ、足踏ポンプ、およびバルブポンプなどを含む任意の所望のタイプのポンプ１１０が使用され得る。ポンプ１１０は、使用者の足によって作動されるように所定位置に、例えば、履物ソール構造１００４の踵領域または前足領域に配置され得るので、使用者が踏み込んだ（例えば、踵で着地する、爪先を離すなど）ときに、ポンプ１１０が作動されてポンプチャンバから流体が押し出される。また、図１Ａおよび図１Ｄに示されているように、足支持ブラダ１０２からポンプ１１０への流体の移送を可能にするために、足支持ブラダ１０２の内部チャンバ１０２Ｉとポンプ１１０の内部チャンバとの間に延在する流体移送ライン１１２が設けられ得る。流体移送ライン１１２経由の足支持ブラダ１０２からポンプ１１０への流体の移動を可能にするが、流体移送ライン１１２経由のポンプ１１０から足支持ブラダ１０２への流体の移動を不可能にするために、例えば、流体移送ライン１１２の内部、流体移送ライン１１２の入口、流体移送ライン１１２の出口などに、弁１１４（例えば、任意の所望の設計または構成の一方向弁）が設けられ得る。
【００９１】
ポンプ１１０と流体リザーバブラダ１０４との間に延在する（およびポンプ１１０から流体リザーバブラダ１０４の内部チャンバ１０４Ｉへと流体が流れるようにする）別の流体移送ライン１１６が設けられ得る。流体移送ライン１１６経由のポンプ１１０から流体リザーバブラダ１０４への流体の移動を可能にするが、流体移送ライン１１６経由の流体リザーバブラダ１０４からポンプ１１０への流体の移動を不可能にするために、例えば、流体移送ライン１１６の内部、流体移送ライン１１６の入口、流体移送ライン１１６の出口などに、別の弁１１８（例えば、任意の所望の設計または構成の一方向弁）が設けられ得る。
【００９２】
本発明のこの態様に係る少なくともいくつかの実施例の足支持システム１００はさらに、システム１００内の予備リザーバ１２０を含む。この予備リザーバ１２０が存在する場合、予備リザーバ１２０は、（例えば、流体移送ライン１２２によって）ポンプ１１０、流体リザーバブラダ１０４、および／またはポンプ１１０と流体リザーバブラダ１０４との間の流体移送ライン１１６の少なくとも１つに接続され得る。この図示されている例の予備リザーバ１２０は、流体移送ライン１２２を介してポンプ１１０と流体リザーバ１０４との間の流体移送ライン１１６に接続されている。流体流れ制御システム１０８（例えば、弁、管状「ピンチオフ」構造など、図１Ｂ参照）は、（ａ）開放状態（予備リザーバ１２０とポンプ１１０、流体リザーバ１０４、または流体移送ライン１１６の少なくとも１つとの間で流体が移動する）と、（ｂ）閉鎖状態（予備リザーバ１２０とポンプ１１０、流体リザーバブラダ１０４、または流体移送ライン１１６の少なくとも１つとの間で流体が移動しない）との間で、流体移送ライン１２２を変化させるために設けられ得る。予備リザーバ１２０への流体移送／予備リザーバ１２０からの流体移送を制御するための流体流れ制御システム１０８は、流体リザーバブラダ１０４と足支持ブラダ１０２との間の流体移送を制御するための同じ流体制御システム１０８または構造の一部であり得る、または異なるシステムまたは構造であり得る。本発明の少なくともいくつかの実施例では、予備リザーバ１２０の全容積は、流体リザーバ１０４の全容積の２５％未満であり、いくつかの実施例では、流体リザーバ１０４の全容積の２０％未満、１５％未満、１０％未満、５％未満、さらには２．５％未満である。追加的に、または代替的に、本発明の少なくともいくつかの実施例では、予備リザーバ１２０の全容積は、足支持ブラダ１０２の全容積の２５％未満であり、いくつかの実施例では、足支持ブラダ１０２の全容積の２０％未満、１５％未満、１０％未満、５％未満、さらには２．５％未満である。
【００９３】
以下の本発明の様々な実施例の構造および特徴のより詳細な説明の後に、足支持部の堅さ／硬さを変化させる、および／またはシステム１００内で圧力を変化させる／流体を移動させるための足支持システム１００の様々な構成要素の動作例について、例えば、図３Ａ〜図４Ｃに関して、より詳細に後述する。
【００９４】
図１Ｂ〜図１Ｄは、履物１０００（参照番号１０００は任意のタイプの足収容具を表し得る）に組み込まれた足支持システム１００を示す図である。この実施例の履物１０００は、アッパー１００２と、アッパー１００２と係合されるソール構造１００４とを含む。履物のアッパー１００２は、本発明から逸脱せずに、履物の分野で周知であり使用されている構成、材料、および／または構成部品を含む、任意の所望の構成を有し、任意の所望の材料製であり、および／または任意の所望の数の構成部品を有し得る。最終組立体において、流体リザーバブラダ１０４は、（図１Ａに示されている形態から）流体移送ライン１０６、１１６に沿って足支持ブラダ１０２に対して移動され、または曲げられて、履物１０００の踵領域の周囲で曲線形状（例えば、Ｕ字形）に形成され、そして、例えば、図１Ｂに示されているように、履物のアッパー１００２および／またはソール構造１００４と係合される（または履物のアッパー１００２および／またはソール構造１００４の一部として一体的に形成される）。このようにして、流体リザーバブラダ１０４は、底の外周縁１０４Ｅが足支持ブラダ１０２の外周縁１０２Ｅの一部に隣接してその周囲に（例えば、アッパー１００２の後方の踵領域の周囲から少なくともアッパー１００２の外側踵領域および／または内側踵領域まで、任意でアッパー１００２の外側中足領域または外側前足領域まで、および／または任意でアッパー１００２の内側中足領域または内側前足領域まで）延在する。図１Ｂは流体リザーバブラダ１０４がアッパー１００２の外表面の一部を形成するものとして示しているが、これは必須要件ではない。追加的に、または代替的に、必要に応じて、流体リザーバブラダ１０４は少なくとも部分的に、履物１０００の内部足収容チャンバ内に、アッパー１００２の層間に、アッパー１００２のつま革領域（つま革の内側、外側、またはつま革の層間）に沿って、履物タン構造内に、および／またはアッパー１００２の任意の他の所望の部分に設けられ得る。
【００９５】
図１Ａはさらに、この図示されている実施例の流体リザーバブラダ１０４が内部に形成されたアーチ形支持部１０４Ａを含むことを示している。アーチ形支持部１０４Ａは、流体移送ライン１２４を介して流体リザーバブラダ１０４の内部チャンバ１０４Ｉと流体連通している。最終組立体において、流体リザーバブラダ１０４は、流体移送ライン１２４に沿って折られ／曲げられ、アーチ形支持部１０４Ａは、この実施例の足支持ブラダ１０２内に形成されたアーチ形隙間１０２Ｇに嵌め込まれる。このようにして、流体リザーバブラダ１０４も、足支持システム１００の足支持機能全体の少なくとも一部（および足底支持面の一部）を形成し得る。さらに図１Ｃおよび図１Ｄを参照されたい。この図示されている例では、アーチ形支持部１０４Ａは、足支持ブラダ１０２によって画定された領域または容積内（例えば、アーチ形隙間１０２Ｇ）内で「入れ子になる」。本明細書内でこの文脈で使用される場合、用語「入れ子になる」または「入れ子にされる」は、一方のブラダが別のブラダの外周の少なくとも一部を少なくとも部分的に囲む（例えば、一方のブラダが別のブラダの外側外周または外側壁／外側面の５０％以上を囲む）こと、および／または２つのブラダ部分が別の形でしっかりとまたは密に嵌合する相補的形状の表面を有することを意味する。入れ子ブラダは、他のブラダによって「囲まれた」側壁（単数または複数）／側面（単数または複数）の少なくともいくつかの部分を有し得るが、入れ子ブラダは、他のブラダによって「囲まれた」上部および／または底部主要面のいくつかの部分を有してもよい。
【００９６】
この実施例の足支持システム１００の少なくとも足支持ブラダ１０２は、図１Ｃおよび図１Ｄに示されているように、履物ソール構造１００４内または履物ソール構造１００４上に取り付けられ得る。履物ソール構造１００４は、ミッドソール１００４Ｍ（例えば、１つまたは複数の高分子発泡材部品から作成された）、アウトソール要素、および／またはその両方を構成し得る。履物ソール構造１００４は、本発明から逸脱せずに、履物の分野で周知であり使用されている構成、材料、および／または構成部品を含む、任意の所望の構成を有し、任意の所望の材料製であり、任意の所望の数の構成部品を有し得る。この図示されている実施例では、ソール構造１００４は、アッパー表面１００４Ｕに形成された凹部１００４Ｒを含み、足支持ブラダ１０２の少なくともいくつかの部分は、凹部１００４Ｒ内に収容される（任意で、この凹部１００４Ｒ内で、ソール構造１００４と、例えば、ソール構造１００４の底部内面１００４Ａと係合される）。図１Ｃおよび図１Ｄの実施例には図示されていないが、ソール部材１００４のアッパー表面１００４Ｕおよび足支持ブラダ１０２の上面は、例えば、ストローベル部材によって、織布によって、アッパー１００２の底面の薄い高分子発泡層によって、および／または他の所望の構成要素によって被覆され得る。あるいは、必要に応じて、使用者の足（例えば、ソックスを履いた）は、図１Ｃおよび図１Ｄに示されている構造の１つまたは複数の構造と直接接触し得る（例えば、図１Ｃおよび図１Ｄに示されている特徴の少なくともいくつかは、靴１０００の底部内部の足収容チャンバを形成し得る）。
【００９７】
図１Ｃおよび図１Ｄはさらに、この実施例の足支持システム１００がポンプ作動部１２６（この構造では、プレートとして形成された）を含むことを示している。ポンプ作動部１２６は、（例えば、ヒンジによって、ソール構造１００４の支持面またはレッジ１００４Ｌ上など）ソール構造１００４に取り付けられ得る。ポンプ作動部１２６は、以下でさらに詳細に説明するように、足支持システム１００内で流体を移動可能にするために、例えば、踏み込みサイクルまたはジャンプの「爪先を離す」段階で着用者の足の力を受けて、ポンプ１１０バルブを圧縮するように下方に移動する。ポンプ１１０およびポンプ作動部１２６は、この実施例のソール構造１００４の前足領域／爪先領域内に示されているが、本発明から逸脱せずに、踵領域（踏み込みまたはジャンプなどの着地時に作動させるため）のような他の領域に設けられてもよい。
【００９８】
本発明の少なくともいくつかの実施例では、足支持ブラダ１０２、流体リザーバブラダ１０４、アーチ形支持ブラダ部１０４Ａ、ポンプ１１０、予備リザーバ１２０、流体移送ライン１０６、流体移送ライン１１２、流体移送ライン１１６、流体移送ライン１２２、および／または流体移送ライン１２４の２つ以上は、単一の一体構成として製造され得る。より詳細には、これらの部品の任意の所望の２つ以上の部品（任意で、これらの部品の全て）は、例えば、接着剤、溶接技術（例えば、ＲＦ溶接、超音波溶接、熱溶接など）などによって封止される２つの熱可塑性エラストマーシート部材（これらは折り重ねられた単一の熱可塑性エラストマーシートを構成し得る）から形成され得る。例えば、図１Ｇ（１）および図１Ｈ（１）に示されているシート１３０Ａ、１３０Ｂを参照されたい。シート１３０Ａ、１３０Ｂは、シールライン１３０Ｃ（または溶接接合部）で、例えば、それらの外周縁の周囲で、また他の封止位置で（例えば、流体の流れが望まれる位置以外の位置で）接合される。ブラダ構造（単数または複数）、その構成、材料、および製造方法は、履物の分野で周知であり使用されている従来のものであり得る。ブラダ構造（単数または複数）はさらに、例えば、ブラダ形状を制御するために（例えば、比較的滑らかであり、および／または輪郭形成された表面を形成するために）、履物分野で周知であり使用されているような内部引張要素を含み得る。
【００９９】
履物用の流体充填ブラダに使用されるタイプの熱可塑性材料は、比較的可撓性があり、柔軟であり得る。しかし、上述したように、本発明の少なくともいくつかの実施例では、１つまたは複数の流体移送ライン（ブラダ／足支持システム１００構造全体の一部として一体的に形成され得る）、例えば、ライン１０６、ライン１１６、および／またはライン１２４は、足支持システム１００の最終構造における互いに対するおよび／または足支持ブラダ１０２に対する流体リザーバブラダ１０４部分の所望の位置決めを可能にするために「曲げられ」、折られ、または屈曲され得る。このような湾曲部については、例えば、図１Ａおよび図１Ｅに示されている領域Ａおよび図１Ａに示されている領域Ｂに関して上述されている。必要である、または望ましい場合、本発明の少なくともいくつかの実施例に従って、これらの比較的小さく薄い流体移送ラインの湾曲／折れ位置における望ましくない閉鎖（例えば、ピンチオフ、よじれなど）を防止するための構造および／または構成要素が設けられ得る。
【０１００】
図１Ａおよび図１Ｅ〜図１Ｈ（２）は、ブラダシステム１００全体の様々な領域、例えば、比較的小さく薄い流体移送ライン１０６、ライン１１６、および／またはライン１２４の湾曲／屈曲位置のような位置の望ましくない閉鎖（例えば、ピンチオフ、よじれなど）の防止を助けるために設けられ得る構造／構成要素の例を示している。一実施例として、図１Ｅおよび図１Ｆに示されているように、２つのブラダの内部チャンバを接続する（例えば、ブラダ１０２／１０４、ブラダ１０４／１０４Ａ、ポンプチャンバ１１０およびブラダ１０４／１２０などを接続する）流体移送ラインは、１つの内部チャンバ（例えば、内部チャンバ１０２Ｉ）と流体連通した第１のセグメント１４０Ａと、別の内部チャンバ（例えば、内部チャンバ１０４Ｉ）と流体連通した第２のセグメント１４０Ｂと、第１のセグメント１０４Ａと第２のセグメント１０４Ｂとを互いに流体連通させる非線形接続部１４０Ｃとを含み得る。いくつかのより詳細な実施例では、図１Ｅに示されているように、非線形接続部１４０Ｃは、第１のセグメント１４０Ａから第２のセグメント１４０Ｂへと延在するＵ字管を含み得る。いくつかの他のオプションおよび／または実施例として、非線形接続部１４０Ｃは、第１のセグメント１４０Ａと第２のセグメント１４０Ｂとの間に少なくとも４つの屈曲部１４０Ｔを画定し得、少なくとも４つの屈曲部１４０Ｔのうちの少なくとも２つの屈曲部１４０Ｔ（任意で、少なくとも４つの屈曲部および／または全ての屈曲部）は６０°〜１２０°の角度αを形成する。図１Ｆ（別の実施例の流体移送ラインおよび接続部１４０Ｃの構造の図１Ｅと同様の上から見た図である）を参照されたい。このようにして、必要に応じて、非線形接続部１４０Ｃは、ジグザグ形状またはヘリンボーン形状を画定し得る。この非線形形状は、流体移送ラインの内部流路の望ましくない閉鎖または「ピンチオフ」を防止するのを助けることができる。任意で、これらの形状特徴は、図１Ｇ（１）〜図１Ｈ（２）に関して後述する特徴の１つまたは複数と共に使用され得る。
【０１０１】
図１Ｇ（１）および図１Ｇ（２）は、ブラダシステム１００全体の様々な領域、例えば、流体移送ライン内の湾曲／屈曲位置などの望ましくない閉鎖（例えば、ピンチオフ、よじれなど）の防止を助けるための別の実施例の構造を示している。図１Ｇ（１）および図１Ｇ（２）の例では、流体移送／流れライン１０６、１１６、１２２、１２４によって画定された密閉流路内に１つまたは複数の引張要素１５０が設けられる。引張部材（単数または複数）１５０は、ブラダ外被シート１３０Ａ／１３０Ｂによって画定された内部容積１３２内に設けられる。この図示されている実施例では、引張部材（単数または複数）１５０は、（例えば、溶接、接着剤などによって）シート１３０Ａ／１３０Ｂの内表面１３４Ａ／１３４Ｂに取り付けられた基部１５０Ｂを含み、基部１５０Ｂは、複数の繊維または糸１５２によって相互接続される。繊維または糸１５２は、ブラダが膨張したときに外被シート１３０Ａ／１３０Ｂの分離を制限することによってブラダ構造を所望の形状で維持するのを助ける。基部１５０Ｂと繊維または糸１５２はさらに、例えば、流体移送／流れライン１０６、１１６、１２２、１２４が長手方向軸１５６（長手方向軸１５６は、中心「Ｘ」を有する参照番号１５６で、図１Ｇ（１）の図面のページを貫通する形で示されている）に対して垂直な方向に曲げられ、折られ、または回転されたときに、内部容積１３２の完全な「ピンチング」、「よじれ」、または他の望ましくない閉鎖を防止するために、互いに相互作用し、そして内表面１３４Ａ／１３４Ｂと相互作用しやすい。このようにして、基部１５０Ｂおよび／または繊維／糸１５２は、流体を湾曲領域または回転領域（例えば、図１Ａに示されている領域Ａ、Ｂのような領域）を通って流体移送／流れライン１０６、１１６、１２２、１２４に流すための連続経路を形成する。図１Ｇ（２）の上面図は、複数の引張部材１５０が長手方向に沿って設けられ得ることを示している。
【０１０２】
流体移送／流れラインの望ましくない完全な閉鎖を防止するために流体移送／流れライン（例えば、１０６、１１６、１２２、１２４）の密閉流路１３２内に設けられる別の実施例の流体流れ支持要素が、図１Ｈ（１）および図１Ｈ（２）に示されている。この図示されている実施例では、熱可塑性シート１３０Ａ／１３０Ｂによって画定された内部チャンバ１３２内に１つまたは複数の内部管状要素１６０が設けられる。管状要素（単数または複数）１６０は、貫通した貫通孔１６２を有し、硬質プラスチック材料で作成され得る。管状要素（単数または複数）は、横方向幅Ｗよりも短い軸方向寸法（図１Ｈ（１）のページを貫通する軸１５６に沿った寸法）を有し得る。このような構造では、流体移送／流れライン１０６、１１６、１２２、１２４が長手方向軸１５６に対して垂直な方向に曲げられた、または回転されたときでも、管状要素（単数または複数）１６０の貫通孔（単数または複数）１６２は、流体を湾曲領域または回転領域（例えば、図１Ａに示されている領域Ａ、Ｂのような領域）を通って流体移送／流れライン１０６、１１６、１２２、１２４に流すための連続経路を形成し、そのことにより、流体移送／流れライン１０６、１１６、１２２、１２４の完全なよじれまたはピンチオフを防止する。図１Ｈ（２）の上面図は、複数の管状要素１６０が管状部材の長手方向または軸方向１５６に沿って設けられ得ることを示している。
【０１０３】
本発明の少なくともいくつかの実施例では、流体移送／流れライン１０６、１１６、１２２、１２４は、例えば、内部チャンバ１０２Ｉ、１０４Ｉの容積に比べて、比較的小さい断面積または容積を有し得る。いくつかのより詳細な実施例として、（足支持ブラダ１０２の内部チャンバ１０２Ｉとおよび流体リザーバブラダ１０４の内部チャンバ１０４Ｉと間、ポンプチャンバ１１０と流体リザーバブラダ１０４との間、流体移送ライン１１６と予備リザーバ１２０との間、流体リザーバブラダ１０４とそのアーチ形支持部１０４Ａとの間などの）流体移送／流れライン１０６、１１６、１２２、１２４の任意の１つまたは複数のラインは、軸方向長さの少なくとも大部分にわたって、流体流れ方向に対して横断方向の１０ｃｍ２未満、いくつかの実施例では、６ｃｍ２未満、４ｃｍ２未満、さらには２．５ｃｍ２未満の内部断面積（例えば、図１Ｇ（１）および図１Ｈ（１）の図で示された領域）を有し得る。さらに追加のまたは代替の可能性のある特徴として、流体移送／流れライン１０６、１１６、１２２、１２４の任意の１つまたは複数のラインは、接続されるブラダチャンバ間（またはブラダチャンバと流体移送ラインの弁構造との間）の２０ｃｍ３未満、いくつかの実施例では、１６ｃｍ３未満、１０ｃｍ３未満、８ｃｍ３未満、さらには６ｃｍ３未満の内部容積を有し得る。
【０１０４】
図２Ａ〜図２Ｄは、本発明のいくつかの実施例および態様に係る足支持システム２００の別の実施例を示す図である。図２Ａおよび図２Ｂのシステム例２００が図１Ａ〜図１Ｈ（２）のシステム１００の部品と同一または同様の部品を含む場合、同一の参照番号が使用され、これらの同一または同様の部品の詳細な対応する繰り返しの説明は省略する。図２Ａおよび図２Ｂの足支持システム２００と図１Ａ〜図１Ｈ（２）に示されている足支持システムとの違いの１つは、最終履物／足収容具組立体における流体リザーバブラダ１０４の位置決めに関する。図１Ａ〜図１Ｈ（２）は流体リザーバブラダ１０４の少なくとも大部分が履物のアッパー１００２の周囲におよび／またはアッパー１００２の一部として配置されるシステム１００を示しているが、図２Ａおよび図２Ｂの実施例のシステム２００においては、流体リザーバブラダ１０４は足支持ブラダ１０２の下かつソール構造１００４の内部の位置まで折り曲げられる。このようにして、最終の履物構造１０００において、流体リザーバブラダ１０４が形成されたときの流体リザーバブラダ１０４の上部主要面１０４Ｔが足支持ブラダ１０２の底部主要面１０２Ｂと直接対向する（および任意で直接接触する）ように（および最終履物１０００組立体において流体リザーバブラダ１０４が形成されたときの流体リザーバブラダ１０４の底部主要面１０４Ｂが足支持ブラダ１０２の上部主要面１０２Ｔとは反対側に向くように）、流体リザーバブラダ１０４は、足支持ブラダ１０２の下に折り曲げられ／積み重ねられる。さらに、図２Ａに示されているように、この図示されている実施例では、流体リザーバブラダ１０４のアーチ形支持部１０４Ａは、足支持ブラダ１０２によって画定された領域または容積内（例えば、アーチ形隙間１０２Ｇ）内で「入れ子になる」。
【０１０５】
図１Ａ〜図１Ｈ（２）のシステム１００と同様に、この実施例の足支持システム２００は、ブラダ構造全体の一体部品として流体移送ラインを含むように形成される。例えば、図２Ａは、流体を足支持ブラダ１０２からポンプ１１０の内部ポンプチャンバへと移動させるための流体移送ライン１１２（これもシステム２００のブラダ構造全体の一部として一体的に形成される）を示しており、弁１１４がこの流体移送ライン１１２の内部または一端に設けられる。しかしながら、図２Ａのシステム２００では、３つの流体移送ライン２０６、２１０、２１６が流体流れ制御システム１０８で合流する。より詳細には、（ａ）１つの流体移送ライン２０６は足支持ブラダ１０２から流体流れ制御システム１０８へと延在し、（ｂ）別の流体移送ライン２１０はポンプ１１０から流体流れ制御システム１０８へと延在し、（ｃ）別の流体移送ライン２１６は流体流れ制御システム１０８から流体リザーバブラダ１０４へと延在する。さらに、この図示されている実施例のシステム２００では、流体流れ制御システム１０８における、または流体流れ制御システム１０８の近くのブラダ容積として予備リザーバ１２０が設けられる（そして、予備リザーバ１２０は短い流体移送ライン２２２を介して他の流体移送ラインに接続される）。流れ制御システム１０８は、以下でさらに詳細に説明するように、流体移送ライン２０６、流体移送ライン２１０、流体移送ライン２１６、および／または流体移送ライン２２２の１つまたは複数のラインを通る流体移送を制御するために電子制御または手動制御の流れ停止部材（例えば、ピンチング要素または弁）などを選択的に「ピンチオフ」または閉鎖するための構造（例えば、物理的要素）を含む。流れ制御システム１０８は、以下でさらに詳細に説明するように、物理的および／または手動で「ピンチオフ」構造を移動させる、または別の方法で流体移送ライン２０６、流体移送ライン２１０、流体移送ライン２１６、および／または流体移送ライン２２２の１つまたは複数のラインを選択的に開放／閉鎖するためにスイッチ１０８Ｓ（例えば、ダイアル）を含み得、および／または足支持圧力を変化させるために（例えば、スマートホンなどのような電子デバイス１７０から無線でまたは有線接続を介して）入力コマンドを受信するための入力システム１０８Ｉを含み得る。
【０１０６】
流体は、図２Ａ〜図２Ｄのシステム２００内のブラダ１０２とブラダ１０４との間を移動するために、ライン２０６を通り、流体流れ制御システム１０８を通り、ライン２１６を通って移動する、またはその逆方向に移動する。流体は、図２Ａ〜図２Ｄのシステム２００内のポンプ１１０からブラダ１０４へと移動するために、ライン２１０を通り、流体流れ制御システム１０８を通り、ライン２１６を通って移動する。流体は、ポンプ１１０と予備リザーバ１２０との間を移動するために、ライン２１０を通り、流体流れ制御システム１０８を通り、ライン２２２を通って移動する、またはその逆方向に移動する。流体は、流体リザーバ１０４と予備リザーバ１２０との間を移動するために、ライン２１６を通り、流体流れ制御システム１０８を通り、ライン２２２を通って移動する、またはその逆方向に移動する。流体制御システム１０８は、（例えば、任意のラインまたはラインの組み合わせを選択的に開放または閉鎖（例えば、ピンチングシャット）することによって）選択的にライン２０６、ライン２１０、ライン２１６、および／またはライン２２２を相互接続して、これらの所望の流路ライン相互接続のいずれかを可能にし得る。
【０１０７】
上述した足支持システム１００、２００のブラダチャンバ／流体密封ブラダは、例えば、履物分野で従来周知であり使用されている熱可塑性材料シートから形成され得る。２つ以上の構成要素（例えば、足支持ブラダ１０２、流体リザーバブラダ１０４、アーチ形支持部１０４Ａ、予備リザーバブラダ１２０、ポンプチャンバ１１０、および／または様々な流体移送／流れ経路１０６、１１２、１１６、１２２、１２４、２０６、２１０、２１６の１つまたは複数の経路のうちの任意の２つ以上の要素）は、シームまたは溶接ライン１３０Ｃで封止された２つの熱可塑性材料シート１３０Ａ／１３０Ｂ（図１Ａおよび図２Ａでは熱可塑性シート１３０Ｂは熱可塑性シート１３０Ａによって覆われている）から単一の一体構成として一体的に形成され得る。本発明の少なくともいくつかの実施例では、足支持ブラダ１０２、流体リザーバブラダ１０４、アーチ形支持部１０４Ａ、予備リザーバブラダ１２０、ポンプチャンバ１１０、および流体移送／流れ経路（例えば、１０６、１１２、１１６／２１０、１２２／２２２、１２４、１０６／２０６、１１６／２１６）の全ては、シームまたは溶接ライン１３０Ｃで封止された２つの熱可塑性材料シート１３０Ａ／１３０Ｂから単一の一体構成として形成される。
【０１０８】
図２Ｃおよび図２Ｄの断面図は、本発明の少なくともいくつかの実施例に係るシステム１００、２００用のブラダ要素の製造／形成（例えば、折り曲げられたブラダ構成および／または上下に「積み重ねられた」ブラダ構成）に関してさらに詳細に説明するものである。図示されているように、チャンバ（例えば、足支持ブラダチャンバ１０２と流体リザーバブラダチャンバ１０４または流体リザーバブラダチャンバ１０４とアーチ形支持部ブラダチャンバ１０４ＡＩ）は、最初は、シールライン１３０Ｃを介して（例えば、「溶接」または熱成形作業によって）底部熱可塑性シート１３０Ｂに封止された上部熱可塑性シート１３０Ａから、互いに横方向に並べて形成される。ブラダ製造プロセスの間、上部熱可塑性シート１３０Ａは、図２Ｃに示されているように、足支持ブラダチャンバ１０２（またはアーチ形支持部ブラダチャンバ１０４Ａ）の上部主要面１０２Ｍ１と、流体リザーバブラダ１０４の上部主要面１０４Ｍ１とを連続シートとして形成する。同様に、図２Ｃに示されているように、底部熱可塑性シート１３０Ｂは、足支持ブラダチャンバ１０２（またはアーチ形支持部ブラダチャンバ１０４Ａ）の底部主要面１０２Ｍ２と、流体リザーバブラダ１０４の底部主要面１０４Ｍ２とを連続シートとして形成する。内部チャンバ１０２Ｉ（または１０４ＡＩ）と内部チャンバ１０４Ｉは、溶接されたシート１３０Ａ、１３０Ｂ間に画定される。流体流れライン１０６／１２４はさらに、２つのシート１３０Ａ、１３０Ｂ間に一体的に形成され、そのことにより、内部チャンバ１０２Ｉ（または１０４ＡＩ）と内部チャンバ１０４Ｉとを互いに流体連通させることができる。
【０１０９】
その後、足支持部製造プロセスの間、図２Ｃおよび図２Ｄに示されているように、流体リザーバブラダチャンバ１０４は、流体移送ライン１０６（またはライン１２４）を中心として（矢印２７０で示されているように）足支持ブラダチャンバ１０２（またはアーチ形支持部１０４Ａ）の下に折られ、または移動され、その結果、流体リザーバブラダチャンバ１０４の底部主要面１０４Ｍ２は足支持ブラダチャンバ１０２（またはアーチ形支持部１０４Ａ）の底部主要面１０２Ｍ２に対向して直接隣接するように回転する。このことにより、図２Ｄに示されているような上下に積み重ねられたブラダチャンバ形態が形成される。さらに図示されているように、最終の上下に積み重ねられたブラダチャンバ形態では、（着用者の足の足底面の少なくとも一部の最も近くにあり、足底面の少なくとも一部を支持する）足支持ブラダチャンバ１０２（またはアーチ形支持部１０４Ａ）の上部主要面１０２Ｍ１は、流体リザーバブラダチャンバ１０４の元の上部主要面１０４Ｍ１とは反対方向を向いている。
【０１１０】
図１Ａ、図１Ｃ、図１Ｄ、および図２Ａに示されているように、このタイプの足支持ブラダチャンバ１０２は、使用者の足の足底面の大部分を支持するための支持面を形成するように寸法決めおよび成形され得る。図２Ａ〜図２Ｄに示されている構造では、流体貯蔵流体充填ブラダチャンバ１０４は、その主要面１０４Ｍ２が足支持ブラダチャンバ１０２（またはアーチ形支持部１０４Ａ）の主要面１０２Ｍ２の全表面積の少なくとも６０％に対向する、および／または直接隣接する（および任意で直接接触する）（および任意で足支持ブラダチャンバ１０２（またはアーチ形支持部１０４Ａ）の主要面１０２Ｍ２の全表面積の少なくとも７０％、少なくとも８０％、少なくとも９０％、さらには１００％に対向する、直接隣接する、および／または直接接触する）ように寸法決めおよび成形され得る。
【０１１１】
足支持ブラダチャンバ（単数または複数）１０２および流体リザーバブラダチャンバ（単数または複数）１０４は、個々の足支持システム１００／２００内に存在し、および／または履物１０００は、（例えば、図３Ａ〜図４Ｃに関して、以下でさらに詳細に説明される圧力変化特徴を生み出すのに十分な容積があるとして）本発明から逸脱せずに、任意の所望の相対的なサイズおよび／または容積を有し得る。本発明のいくつかのより詳細な実施例では、個々の足支持システム１００／２００および／または履物１０００内の流体リザーバブラダチャンバ（単数または複数）１０４と足支持ブラダチャンバ（単数または複数）１０２との容積比（例えば、Ｖ１０４Ｉ／Ｖ１０２Ｉ、ここで、「Ｖ」は各々の内部チャンバの流体容積を表す）は、少なくとも０．７５、いくつかの実施例では、少なくとも１、少なくとも１．２５、少なくとも１．５、少なくとも１．７５、さらには少なくとも２の範囲内であり得る。いくつかの実施例では、個々の足支持システム１００／２００および／または履物１０００におけるこの容積比（例えば、Ｖ１０４Ｉ／Ｖ１０２Ｉ）は、０．７５〜８、いくつかの実施例では、１〜６、１．２５〜５、１．２５〜４、さらには１．２５〜２．５の範囲内であり得る。本発明の少なくともいくつかの実施例では、個々の足支持システム１００／２００および／または履物１０００において、流体リザーバブラダチャンバ（単数または複数）１０４は、足支持ブラダチャンバ（単数または複数）１０２よりも大きい内部容積を画定する。これらの相対的なサイズ／容積の特徴は、図１Ａ〜図１Ｈに示されている足支持システム１００、図２Ａ〜図２Ｆに示されている足支持システム２００、および／または以下でさらに詳細に説明する足支持システムおよび／または履物のいずれかの足支持システムに適用され得る。
【０１１２】
図２Ａ〜図２Ｄに示されている本発明の特定の実施例では、２つの熱可塑性材料シート１３０Ａ、１３０Ｂはシールライン１３０Ｃで封止され、少なくとも（ａ）第１の熱可塑性材料シート１３０Ａと第２の熱可塑性材料シート１３０Ｂとの間に第１の内部チャンバ（例えばチャンバ１０２Ｉまたはチャンバ１０４ＡＩ）を画定する第１の流体充填ブラダチャンバ（例えば、足支持ブラダチャンバ１０２またはアーチ形支持部１０４Ａ）、（ｂ）第１の熱可塑性材料シート１３０Ａと第２の熱可塑性材料シート１３０Ｂとの間に第２の内部チャンバ（例えば、チャンバ１０４Ｉ）を画定する第２の流体充填ブラダチャンバ（例えば、流体貯蔵チャンバ１０４）、および（ｃ）第１の内部チャンバ１０２Ｉ（または１０４ＡＩ）と第２の内部チャンバ１０４Ｉとを互いに流体連通させる第１の流体流れライン（例えば、流体移送ライン１０６（図１Ａ）またはライン２０６、２１６（図２Ａ）、またはライン１２４（図２Ａ））を形成するように成形される。本発明のこの態様の少なくともいくつかの実施例では、この第１の流体流れライン（例えば、流体移送ライン１０６（またはライン１２４））は、第１の内部チャンバ（例えば、チャンバ１０２Ｉ（またはチャンバ１０４ＡＩ））と第２の内部チャンバ（例えば、チャンバ１０４Ｉ）との間の唯一の直接流体接続部であり得る。このステップで作成された流体流れライン（例えば、流体移送ライン１０６（またはライン１２４））は、流体移送ラインに関して上述したサイズ、形状、断面積、および／または容積の特徴のいずれかを有し得る。
【０１１３】
必要に応じて、図１Ａおよび図２Ａにさらに示されているように、２つの熱可塑性シート１３０Ａ、１３０Ｂは、（ａ）内部ポンプチャンバ（例えば、バルブ式ポンプチャンバのような着用者の足によって圧縮可能なポンプチャンバ）を含むポンプ部１１０、（ｂ）（例えば、足支持ブラダ１０２の）第１の内部チャンバ１０２Ｉをポンプ１１０の内部チャンバと流体連通させる第２の流体流れライン（例えば、ライン１１２）、（ｃ）ポンプ１１０の内部チャンバを（例えば、流体リザーバブラダ１０４の）第２の内部チャンバ１０４Ｉと流体連通させる第３の流体流れライン（例えば、ライン１１６（図１Ａ）またはライン２１０、２１６（図２Ａ））、（ｄ）予備流体チャンバ（例えば、チャンバ１２０）、（ｅ）予備流体チャンバ１２０を第２の内部チャンバ（１０４Ｉ）、ポンプ１１０の内部チャンバ、または第３の流体流れライン（例えば、ライン１１６（図１Ａ）またはライン２１０、２１６（図２Ａ））の少なくとも１つと流体連通させる第４の流体流れライン（例えば、ライン１２２（図１Ａ）またはライン２２２（図２Ａ））、（ｆ）アーチ形支持部１０４Ａ、および／または（ｇ）内部チャンバ１０４Ｉをアーチ形支持部１０４Ａの内部チャンバ１０４ＡＩと接続する流体流れライン（例えば、ライン１２４）のうちの１つまたは複数をさらに形成するように成形されたシールライン１３０Ｃで接合され得る。図２Ａはさらに、２つの熱可塑性シート１３０Ａ、１３０Ｂは、１つまたは複数のガス封入口２５０を形成するために接合され得、ブラダチャンバ（単数または複数）を膨張させることができるようにガス封入口２５０に流体源（例えば、圧縮ガス源）が係合され得る。ガス封入口（単数または複数）２５０は、ブラダチャンバ（単数または複数）を所望の膨張圧（単数または複数）まで膨張させた後、（例えば、溶接作業によって）永久的に封止され得る、または（例えば、弁もしくはピンチオフ装置を使用して）解放可能に封止され得る。
【０１１４】
これらの図面にさらに示されているように、足支持システム２００において、（ａ）第１の流体充填ブラダチャンバ（例えば、足支持ブラダチャンバ１０２またはアーチ形支持部１０４Ａ）を画定する第２の熱可塑性材料シート１３０Ｂの外表面１０２Ｍ２の一部が第２の流体充填ブラダチャンバ（例えば、流体リザーバブラダ１０４）を画定する第２の熱可塑性材料シート１３０Ｂの外表面１０４Ｍ２の一部に直接対向し（および任意で、直接接触し）、（ｂ）第１の流体充填ブラダチャンバ（例えば、足支持ブラダチャンバ１０２またはアーチ形支持部１０４Ａ）を画定する第１の熱可塑性材料シート１３０Ａの外表面１０２Ｍ１の一部が第２の流体充填ブラダチャンバ（例えば、流体リザーバブラダ１０４）を画定する第１の熱可塑性材料シート１３０Ａの外表面１０４Ｍ１の一部とは反対側を向くように、第１の流体充填ブラダチャンバ（例えば、足支持チャンバ１０２またはアーチ形支持部１０４Ａ）は、第２の流体充填ブラダチャンバ（例えば、流体リザーバブラダ１０４）に対して移動可能である。第１の流体流れライン（例えば、流体移送ライン１０６またはライン１２４）では、例えば、図１Ｅ〜図１Ｈ（２）に関して上述した方法のいずれかで、非線形部、Ｕ字形構造、ジグザグもしくはヘリンボーン構造、流れ支持システムを有する構造、ピンチ防止／よじれ防止構造などのうちの１つまたは複数を含むようにブラダが形成され得る。
【０１１５】
あるいは、図２Ａ〜図２Ｄの「上下に積み重ねられた」配置ではなく、足支持システム１００の製造の間に、第１の流体充填ブラダチャンバ（例えば、足支持チャンバ１０２）は、使用者の足の足底面を支持するような向きで配置され得、第２の流体充填ブラダチャンバ（例えば、流体貯蔵チャンバ１０４）は、例えば、図１Ａおよび図１Ｂに示されているように、第１の流体充填ブラダチャンバ１０２の外周縁１０２Ｅの一部の周囲に延在するように、例えば、約９０°だけ、移動され／折り曲げられ得る。
【０１１６】
図１Ａ〜図２Ｄに示されている本発明の実施例では、第１の流体充填ブラダチャンバ（例えば、足支持ブラダ１０２および／またはアーチ形支持部１０４Ａ）および第２の流体充填ブラダチャンバ（例えば、１０４）の少なくとも一方が履物ソール構造１００４と係合され、図２Ａ〜図２Ｄに示されている上下積み重ね配置では、少なくとも第２の流体充填ブラダチャンバ（例えば、流体リザーバブラダ１０４）が履物ソール構造１００４と係合される。図２Ｂに示されているように、この履物ソール構造１００４は、第２の流体充填ブラダチャンバ（例えば、流体リザーバブラダ１０４）の底面１０４Ｂ（図２Ｂ）、１０４Ｍ１（図２Ｄ）の少なくとも大部分（および任意で少なくとも６０％、少なくとも７０％、少なくとも８０％、少なくとも９０％、さらには１００％）を被覆する（および任意で直接接触する）内表面１００４Ａを有する、高分子発泡材（例えば、ミッドソールとして形成される場合）および／またはゴムもしくは熱可塑性材料（例えば、アウトソールとして形成される場合）を含み得る。図１Ｃ、図１Ｄ、および図２Ｂの実施例に示されているように、これらの実施例の履物ソール構造１００４は、アッパー表面１００４Ｕと底面１００４Ｂとを含み、アッパー表面１００４Ｕは、アッパー表面１００４Ｕに画定された凹部１００４Ｒを含み、少なくとも第１の流体充填ブラダチャンバ（例えば、足支持ブラダ１０２もしくはアーチ形支持部１０４Ａ）および／または少なくとも第２の流体充填ブラダチャンバ（例えば、流体リザーバブラダ１０４）が、凹部１００４Ｒ内に収容される。最下部にある足支持システム１００、２００の構成要素（例えば、流体リザーバブラダ１０４の底面１０４Ｂ／１０４Ｍ１または足支持ブラダ１０２／アーチ形支持部１０４Ａの底面１０２Ｂ／１０２Ｍ２）は、（例えば、接着剤もしくはセメント、機械的接続部などによって）ソール要素１００４の凹部１００４Ｒ内の底部内表面１００４Ａと係合され得る。
【０１１７】
図２Ａ〜図２Ｄは、足支持ブラダ１０２の主要面（例えば、底面１０２Ｂ）が流体リザーバブラダ１０４の主要面（例えば、上面１０４Ｔ）に直接隣接し、任意で直接接触する足支持システム２００および履物１０００の実施例を示している。例えば、図２Ｅに示されているような他のオプションも可能である。図２Ｅは、図２Ａ〜図２Ｄの足支持システムと同様の足支持システム２６０の一実施例を示しており、図２Ｅでは、図２Ａ〜図２Ｄに使用されている参照番号と同様の参照番号を使用し、重複した説明のほとんどは省略する。図２Ｅの足支持システム２６０は、図２Ａ〜図２Ｄに関して上述した実施例の足支持システム２００の特定の特徴、特性、性質、構造、オプションなどのうちの任意の１つまたは複数を有し得る。
【０１１８】
しかしながら、図２Ｅの足支持構造２６０では、足支持ブラダ１０２と流体リザーバブラダ１０４との間に（例えば、足支持ブラダ１０２の底面１０２Ｂと流体リザーバブラダ１０４の上面１０４Ｔとの間に）、１つまたは複数の分離部材２６２が設けられる。したがって、この実施例の構成では、足支持ブラダ１０２の底部主要面１０２Ｂは、各々の対向する表面積の少なくとも一部（単数または複数）（例えば、対向する表面積の少なくとも５０％、対向する表面積の少なくとも７５％、対向する表面積の少なくとも９０％、対向する表面積の少なくとも９５％、さらには対向する表面積の１００％）において、流体リザーバブラダ１０４の上部主要面１０４Ｔに直接隣接せず、直接接触しない。分離部材２６２は、（ａ）より広い領域にわたって力を分散させるための１つまたは複数の比較的硬いまたは剛性の板状部材（例えば、炭素繊維板、熱可塑性および／または熱硬化性ポリウレタン板、ガラス繊維板、他の調整板など）、（ｂ）さらなる衝撃力を減衰させるための１つまたは複数の発泡部材（例えば、エチレン酢酸ビニル発泡体、ポリウレタン発泡体など）、（ｃ）板（単数または複数）と発泡体（単数または複数）との組み合わせ（例えば、上下に積み重ねられた、および／または対向する表面積の分離領域に存在する）、および／または（ｄ）他の構成要素（単数または複数）であり得る。このような分離部材（単数または複数）２６２は、例えば、足支持システム２６０の衝撃力減衰、「感知」、および／または反応の特性を制御するのに有益であり得る。
【０１１９】
図２Ａ〜図２Ｅは、上下に積み重ねられたブラダを含む足支持システム２００／２６０および履物１０００の実施例を示しており、この場合、足支持ブラダ１０２は、着用者の足の最も近くに位置し、流体リザーバブラダ１０４は足支持ブラダ１０２の下に位置する。これらのブラダ１０２／１０４は、例えば、図２Ｆの足支持構造２８０の実施例に示されているように、（流体リザーバブラダ１０４が足支持ブラダ１０２の上に積み重ねて配置され）上下逆にされ得る。図２Ｆでは、図２Ａ〜図２Ｅで使用されているのと同様の参照番号を使用し、重複した説明のほとんどは省略する。図２Ｆの足支持システム２８０は、図２Ａ〜図２Ｅに関して上述した足支持システム２００／２６０の実施例の特定の特徴、特性、性質、構造、オプションなどのうちの任意の１つまたは複数を有し得る。また、図２Ｆは分離部材（単数または複数）２６２がブラダ対向面１０４Ｂ／１０２Ｔ間に存在する一実施例を示しているが、分離部材（単数または複数）２６２は、対向する表面積の一部または全体において省略され得、流体リザーバブラダ１０４の底部主要面１０４Ｂは、対向する表面積の少なくとも一部の範囲にわたって足支持ブラダ１０２の上部主要面１０２Ｔに直接隣接し、任意で直接接触し得る。
【０１２０】
図１Ａ〜図２Ｆの構造の実施例では、足支持システム１００／２００／２６０／２８０はそれぞれ、少なくとも１つの「入れ子部分」、例えば、１つのブラダの一部（例えば、流体リザーバブラダ１０４の一部１０４Ａ）が他のブラダ（例えば、足支持ブラダ１０２の隙間領域１０２Ｇ）によって画定された領域（例えば、面積もしくは容積）内で「入れ子になる」部分を含み得る。必要に応じて、足支持システム１００／２００／２６０／２８０内に、追加のおよび／または他の「入れ子部分」が設けられ得る。いくつかのより詳細な実施例として、流体リザーバブラダ１０４の１つまたは複数の部分（例えば、部分１０４Ａ）は、例えば、足支持システム１００／２００／２６０／２８０の踵領域、前足領域、および／または中足領域において、足支持ブラダ１０２の１つまたは複数の他の領域（例えば、隙間１０２Ｇ）内で入れ子になり得る。個々の足支持システム１００／２００／２６０／２８０は、任意の所望の領域（単数または複数）および／または任意の所望の形状（単数または複数）のこれらの入れ子部分１０４Ａ／隙間１０２Ｇタイプの特徴の１つまたは複数を含み得る。さらに追加または他の代替の実施例として、必要に応じて、流体リザーバブラダ１０４内に１つまたは複数の隙間（例えば、隙間１０２Ｇ）が形成され得、足支持ブラダ１０２内に１つまたは複数の入れ子部分（例えば、部分１０４Ａ）が形成され、流体リザーバブラダ１０４の隙間（単数または複数）内に入れ子になり得る。さらに他の可能性のある特徴として、足支持ブラダ１０２は、流体リザーバブラダ１０４内に形成された少なくとも１つの「入れ子」部分および少なくとも１つの隙間とそれぞれ嵌合する少なくとも１つの隙間および少なくとも１つの「入れ子」部分を含み得る。本発明から逸脱せずに、隙間および入れ子部分の任意の所望の組み合わせが足支持構造内に形成され得る。
【０１２１】
上述したように、２つ以上の構成要素（例えば、足支持ブラダ１０２、流体リザーバブラダ１０４、アーチ形支持部１０４Ａ、予備リザーバブラダ１２０、ポンプチャンバ１１０、および／または様々な流体移送／流れ経路１０６、１１２、１１６、１２２、１２４、２０６、２１０、２１６の１つまたは複数の経路のうちの任意の２つ以上の要素（および任意で全ての構成要素））は、シームまたは溶接ライン１３０Ｃで封止された２つの熱可塑性材料シート１３０Ａ／１３０Ｂ（図１Ａおよび図２Ａでは熱可塑性シート１３０Ｂは熱可塑性シート１３０Ａによって覆われている）から単一の一体構成として一体的に形成され得る。しかしながら、本発明の他の実施例では、これらの構成要素、例えば、足支持ブラダ１０２、流体リザーバブラダ１０４、アーチ形支持部１０４Ａ、予備リザーバブラダ１２０、ポンプチャンバ１１０、および流体移送／流れ経路（例えば、１０６、１１２、１１６／２１０、１２２／２２２、１２４、１０６／２０６、１１６／２１６）の少なくともいくつか（および任意でこれらの構成要素の全て）は、係合される別個の部品として形成され得る。いくつかのより詳細な実施例として、足支持ブラダ１０２は、流体リザーバブラダ１０４とは別個に形成され得、これらの個々の部品は、例えば、ライン１０６（同様にブラダ１０２、１０４とは別個の部品であり得る、またはブラダ１０２もしくはブラダ１０４の一方と一体的に形成され得る）によって接続され得る。ブラダ１０２、１０４を接続するために、例えば、入口２５０（図２Ａ）のような接続部が、管（例えば、ライン１０６用）と共に使用され得る（例えば、ライン１０６は接続部２５０に接着される、または解放可能に接続される）。追加的に、または代替的に、ポンプチャンバ１１０は、足支持ブラダ１０２（例えば、別個のライン１１２もしくは一体形成されたライン１１２を介して）および流体リザーバブラダ１０４（例えば、別個のライン１１６もしくは一体形成されたライン１１６を介して）のいずれかもしくは両方とは別個に形成され、それらのいずれかもしくは両方に接続される。追加的に、または代替的に、予備リザーバブラダ１２０は、ポンプチャンバ１２０（例えば、別個のライン１２２もしくは一体形成されたライン１１２を介して）および流体リザーバブラダ１０４（例えば、別個のラインもしくは一体形成されたラインを介して）のいずれかもしくは両方とは別個に形成され、それらのいずれかもしくは両方に接続される。様々なブラダおよび／またはラインは、入口２５０のような接続口を含むように形成され得、および／または様々な部品は、他の方法で（例えば、セメントもしくは接着剤、熱成形もしくは溶接などによって）接続され得る。
【０１２２】
様々なブラダ（例えば、足支持ブラダ１０２および流体リザーバブラダ１０４）は、本発明から逸脱せずに、同じもしくは異なる製造プロセスで作成され得、および／または同じもしくは異なる構造／構成を有し得る。いくつかの実施例として、必要に応じて、ブラダ１０２／１０４は、熱成形、ＲＦ溶接、超音波溶接、レーザ溶接などによって形成され得る。いくつかの実施例のブラダにおいて、ブラダの形状を制御するために、内部溶接（例えば、米国特許第６，５７１，４９０号明細書に示されているように、例えば、ブラダ表面の内表面の溶接）が使用され得る。他の実施例では、ブラダの形状を制御するために、引張部材（例えば、米国特許出願公開第２０１５／００１３１９０号明細書に示されているように、例えば、内部繊維構造を含む）が使用され得る。本発明に係る足支持システム１００／２００／２６０／２８０および／または履物１０００のいくつかの個々の実施例では、１つのブラダ（例えば、足支持ブラダ１０２）は、熱成形および／または溶接プロセス（例えば、内部溶接を使用して）によって形成され、形状制御され得、別のブラダ（例えば、流体リザーバブラダ１０４）は、引張部材を使用して形成され、形状制御され得る。個々の足支持システム１００／２００／２６０／２８０および／または履物１０００において、ブラダ構成および形状制御方法の任意の所望の組み合わせが使用され得る。米国特許第６，５７１，４９０号明細書および米国特許出願公開第２０１５／００１３１９０号明細書の各々の内容全体を参照によって本願明細書に引用したものとする。
【０１２３】
少なくともいくつかの実施例の足支持システム１００、２００内の流体の移動について、図３Ａ〜図３Ｃと関連してより詳細に説明する。これらの具体的に示されている例のシステム１００、２００において、システム１００、２００は、外部環境から流体（例えば、空気もしくは他のガス）を意図的に取り込み、外部環境へと流体を意図的に解放しないという点で、閉鎖システムである。むしろ、３つの個別の圧力設定（ひいては、３つの個別の足支持堅さ設定）において足支持ブラダ１０２を配置して保持するために、流体はシステム１００、２００内で流体連通している様々な異なるブラダチャンバまたは他の構造（例えば、足支持ブラダ１０２、流体リザーバブラダ１０４、および／または予備リザーバ１２０）間で移動される。
【０１２４】
図３Ａは、最も高い（または最も硬い）足支持圧力の足支持ブラダ１０２および最も低い圧力のリザーバブラダ１０４を有する、これらのシステム例１００、２００の１つの形態を示している。他の圧力も可能であるが、本発明のこの態様に係るシステムの一実施例では、ブラダシステム１００、２００全体の圧力は、この形態では一定であり得、例えば、流体は流体移送ライン（１１２）、（１１６、２１０／２１６）、（１２２、２２２）、（１１６、２１０／２１６）、および（１０６、２０６／２１６）に流れることができる。弁１１４（例えば、一方向弁）は、流体がライン１１２を通ってポンプ１１０から足支持ブラダ１０２に戻るのを防止し、弁１１８（例えば、一方向弁）は、流体がライン１１６、２１０／２１６を通って流体リザーバブラダ１０４からポンプ１１０に戻るのを防止する。ポンプ１１０が（使用者の足で作動部１２６を介してポンプ１１０を作動させることによって）流体をポンプチャンバからライン１１６、２１０／２１６へと押し出したときに、流体は、システム１００、２００全体が一定の流体圧力に達するまで、自由にシステム１００、２００を通って予備リザーバ１２２および流体リザーバ１０４へと移動し、そして流体リザーバ１０４と足支持ブラダ１０２との間（流体移送ライン１０６、２０６／２１６）を移動する。より詳細な実施例として、図３Ａの形態では、足支持ブラダ１０２、リザーバブラダ１０４、予備ブラダ１２０、およびポンプ１１０は、比較的一定の圧力、例えば、２５ｐｓｉ（約１７２．３７ｋＰａ）（±１０％±５ｐｓｉ（約３４．４７ｋＰａ））であり得る。したがって、この形態では、足支持ブラダ１０２は、最も高い足支持圧力状態（例えば、２５ｐｓｉ（約１７２．３７ｋＰａ）（±１０％）、２０ｐｓｉ〜３０ｐｓｉ（約１３７．９ｋＰａ〜約２０６．８４ｋＰａ）など）にあり得、流体リザーバブラダ１０４は、最も低い圧力状態（例えば、２５ｐｓｉ（約１７２．３７ｋＰａ）（±１０％）、２０ｐｓｉ〜３０ｐｓｉ（約１３７．９ｋＰａ〜約２０６．８４ｋＰａ）など）であり得、予備リザーバブラダ１２０は、最も低い圧力状態（例えば、２５ｐｓｉ（約１７２．３７ｋＰａ）（±１０％）、２０ｐｓｉ〜３０ｐｓｉ（約１３７．９ｋＰａ〜約２０６．８４ｋＰａ）など）であり得る。
【０１２５】
必要に応じて、リザーバブラダ１０４と足支持ブラダ１０２との間の流体移送ライン１０６、２０６／２１６内に逆止弁が設けられ得る。この逆止弁が存在する場合、逆止弁は、足支持ブラダ１０２が、リザーバブラダ１０４と足支持ブラダ１０２との間の流体移送ライン１０６、２０６／２１６が開放状態である場合よりも幾分硬いことを感知するのを支援し得る。
【０１２６】
使用時に、使用者は、その後、この最も硬い足支持状態（図３Ａ）から図３Ｂに示されているような「中間の硬さ」の足支持状態までシステム１００、２００を変更し得る。これは、例えば、図１Ｂおよび図２Ａのスイッチ１０８Ｓを「２５」もしくは「Ｆ」（硬い）設定から「１７」もしくは「Ｍ」（中間）設定まで回すことによって実現され得る。他のオプションとして、硬さ設定は、電子的に（例えば、図２Ｂの入力装置１７０のような入力システムを使用して）変更され得る。この変更がなされたときに、システム１００、２００は図３Ｂに示されている形態に変化する。より詳細には、この変更において、流体制御システム１０８は、流体リザーバブラダ１０４と足支持ブラダ１０２との間の流体移送ライン１０６、２０６／２１６を閉鎖する（しかし、他の流体移送ライン（例えば、１１６、２１０／２１６、１２２、２２２）は開放されたままである）。この形態では、流体は、ライン１１２経由で足支持ブラダ１０２からポンプ１１０へと移動し、そこから作動部１２６を使用して吐出されて、さらに予備リザーバブラダ１２０および流体リザーバブラダ１０４を膨張させる。しかし、流体は（停止部１０８Ｍによって）流体リザーバブラダ１０４から足支持ブラダ１０２に戻ることが妨げられるので、このポンプ作用は、一部の流体を足支持ブラダ１０２から取り出し（そのことにより、足支持ブラダ１０２の圧力を低下させ）、流体リザーバブラダ１０４および予備リザーバブラダ１２０へと流体を追加する（そのことにより、これらのブラダの圧力を上昇させる）。
【０１２７】
流体リザーバブラダ１０４および予備リザーバブラダ１２０内の圧力は、これらのブラダ内の圧力がより多くの流体を予備リザーバ１２０および／または流体リザーバ１０４へと移動させるにはポンプ１１０の単一ストロークサイクル（例えば、作動部１２６を下方に押圧する）の作動では不十分であるような高さになるまで、（ポンプ１１０の踏み込みサイクルのポンプ作用によって）上昇される。より詳細には、この図示されている実施例では、ポンプ１１０は、（例えば、使用者が踏み込んだときに）足によって作動される「バルブ」型ポンプとなるように、流体充填ブラダシステム１００、２００の一部として一体的に形成される。すなわち、使用者の踏み込みがポンプ１１０のバルブを圧縮し、弁１１４により、この圧縮が流体容積をポンプ１１０チャンバから流体移送ライン１１６、２１０／２１６へと押し流す。したがって、この実施例のポンプ１１０チャンバは、ポンプ１１０によってポンプ１１０の単一ストロークサイクルで（つまり、単一の踏み込みまたは圧縮で）移動され得る最大流体容積に相当する「最大流体吐出容積」を画定するように構成される。ポンプ１１０の単一ストロークサイクルの間に（例えば、各々の個々のポンプストロークは最大流量吐出容積を移動させる必要はない）、最大流体吐出容積以下の流体容積が移動される。追加の流体は、ライン１１６、２１０／２１６へと吐出されるときに、ライン１１６、２１０／２１６とライン１２２、２２２およびブラダ１０４、１２０内の流体圧力を上昇させ、弁１１８は、流体が流体リザーバ１０４内に入った後にライン１１６、２１０／２１６に戻るのを防止する。１つまたは複数のポンプ１１０バルブの圧縮サイクルの後、ポンプ１１０の単一ストロークサイクルの間に移動された流体の容積は、弁１１８を通過して流体リザーバブラダ１０４へと追加の流体を移動させるほど十分ではない。すなわち、経時的に十分なポンプサイクルを経て、流体リザーバブラダ１０４内の圧力は、より多くの流体を弁１１８に通過させるためにポンプの単一ストロークサイクルの間に移動される流体の最大容積がライン１１６、２１０／２１６と１２２、２２２内の流体圧力を上昇させるには不十分であるような高さになる。この段階で、システム１００、２００は第２の「定常」（中間の足支持硬さ）の圧力レベルに達する。この形態（図３Ｂの形態の定常状態）では、足支持ブラダ１０２は、「中間」硬さ圧力状態（例えば、１７ｐｓｉ（約１１７．２１ｋＰａ）（±１０％）、１２ｐｓｉ〜２２ｐｓｉ（約８２．７３ｋＰａ〜約１５１．６８ｋＰａ）など）にあり得、流体リザーバブラダ１０４、予備ブラダ１２０、およびポンプ１１０は（さらにこれらの接続ライン１１６、２１０／２１６と１２２、２２２）は、一定であるが、より高い圧力状態（例えば、３１ｐｓｉ（約２１３．７３ｋＰａ）（±１０％）、２６ｐｓｉ〜３６ｐｓｉ（約１７９．２６ｋＰａ〜約２４８．２１ｋＰａ）など）であり得る。流体移送ライン１１６、２１０／２１６と１２２、２２２およびブラダ１０４、１２０の容積は、ポンプ１１０の最大ポンプサイクル容積に対して、中間圧力状態が所望の圧力レベルにおける定常圧力に達するように選択され得る。
【０１２８】
さらに使用するときに、使用者は、この中間圧力足支持状態（図３Ｂ）から図３Ｃに示されているような「最低の硬さ」の足支持状態までシステム１００、２００をさらに変更し得る。これは、例えば、図１Ｂおよび図２Ａのスイッチ１０８Ｓを「１７」もしくは「Ｍ」（中間）設定から「１０」もしくは「Ｓ」（軟らかい）設定まで回すことによって実現され得る。同様に、他のオプションとして、硬さ設定は、電子的に（例えば、図２Ｂの入力装置１７０のような入力システムを使用して）変更され得る。この変更がなされたときに、システム１００、２００は図３Ｃに示されている形態に変化する。より詳細には、この変更において、流体制御システム１０８はさらに、予備リザーバブラダ１２０への流体移送ライン１２２、２２２を閉鎖するが、流体移送ライン１１６、２１０／２１６は開放されたままである。したがって、この形態では、流体は、足支持ブラダ１０２からポンプ１１０へと移動し、そこから吐出されて、さらに流体リザーバブラダ１０４を膨張させる。しかし、流体は（停止部１０８Ｍによって）流体リザーバブラダ１０４から足支持ブラダ１０２に戻ることが妨げられ、また流体は（停止部１０８Ｍによって）ポンプ１１０から予備リザーバブラダ１２０に移動することが妨げられるので、このポンプ作用は、一部の追加の流体を足支持ブラダ１０２から取り出し（そのことにより、足支持ブラダ１０２の圧力を低下させ）、流体リザーバブラダ１０４に流体を追加する（そのことにより、流体リザーバブラダ１０４の圧力を上昇させる）。予備リザーバ１２０は、図３Ｃの形態に切り替わる前は、以前の圧力状態のままで維持される。
【０１２９】
流体リザーバブラダ１０４内の圧力は、ブラダ１０４内の圧力がより多くの流体を流体リザーバ１０４へと移動させるにはポンプ単一ストロークサイクルによるポンプ１１０の作動では不十分であるような高さになるまで、（ポンプ１１０の踏み込みサイクルのポンプ作用によって）上昇される。より詳細には、使用者の踏み込みの圧縮力が、ポンプ１１０バルブを圧縮し、弁１１４により、この圧縮がポンプ１１０チャンバからの流体容積を流体移送ライン１１６、２１０／２１６へと押し流す。追加の流体は、ライン１１６、２１０／２１６へと吐出されるときに、停止部１０８Ｂのためにライン１２２、２２２および／または予備リザーバブラダ１２０内の圧力をそれ以上上昇させることができないが、ライン１１６、２１０／２１６および流体リザーバブラダ１０４内の流体圧力を上昇させ、弁１１８は、流体が流体リザーバ１０４内に入った後にライン１１６、２１０／２１６に戻るのを防止する。１つまたは複数のポンプ１１０バルブの圧縮サイクルの後、ポンプ１１０の単一ストロークサイクルの間に移動された流体の容積は、弁１１８を通過して流体リザーバブラダ１０４へと追加の流体を移動させるほど十分ではない。すなわち、経時的に、流体リザーバブラダ１０４内の圧力は、ポンプ１１０の圧縮／ストロークサイクルの間に移動される流体の最大容積がより多くの流体を弁１１８に通過させるためにライン１１６、２１０／２１６内の流体圧力を上昇させるのに不十分であるような高さになる。この段階で、システム１００、２００は第３の「定常」（最低の足支持硬さ）圧力レベルに達する。この形態（図３Ｃの形態の定常状態）では、足支持ブラダ１０２は、「最も軟らかい」硬さ圧力状態（例えば、１０ｐｓｉ（約６８．９５ｋＰａ）（±１０％）、５ｐｓｉ〜１５ｐｓｉ（約３４．４７ｋＰａ〜約１０３．４２ｋＰａ）など）にあり得、予備ブラダ１２０は、スイッチ１０８Ａが中間硬さ設定から最も軟らかい硬さ設定まで移動されたときの圧力状態（例えば、３１ｐｓｉ（約２１３．７３ｋＰａ）（±１０％）、２０ｐｓｉ〜３６ｐｓｉ（約１３７．９ｋＰａ〜約２４８．２１ｋＰａ）など、図３Ｂから）であり得、流体リザーバブラダ１０４およびポンプ１１０（さらにそれらの接続ライン１１６、２１０／２１６）は、一定であるが、より高い圧力状態（例えば、４０ｐｓｉ（約２７５．７９ｋＰａ）（±１０％）、３５ｐｓｉ〜５０ｐｓｉ（約２４１．３２ｋＰａ〜約３４４．７４ｋＰａ）など）であり得る。流体移送ライン１１６、２１０／２１６と１２２、２２２およびブラダ１０４、１２０は、ポンプ１１０の最大ポンプサイクル容積に対して、足支持圧力状態が所望の圧力レベルにおける定常圧力に達するように選択され得る。
【０１３０】
この実施例では、スイッチ１０８Ａをさらに移動させることにより、スイッチ１０８Ａは図１Ｂおよび図２Ａに示されている「１０」もしくは「Ｓ」設定から「２５」もしくは「Ｆ」設定まで回転される。この回転がなされたときに、停止部１０８Ｍ、１０８Ｂは開放され、システム１００、２００を図３Ｃの形態から図３Ａの形態に切り替える。この変更により、流体は（ライン１０６、２０６／２１６経由で）高い圧力の流体リザーバブラダ１０４から低い圧力の足支持ブラダ１０２へと流れることができ、予備ブラダ１２０とライン（単数または複数）１１６、２１０／２１６との間の流体交換が可能になり、その結果、システム１００、２００全体における圧力が等しくなる。本発明の少なくともいくつかの実施例では、使用者は、停止部１０８Ｍ、１０８Ｂが開放されたときにシステム１００、２００におけるこの比較的迅速な圧力変化を聞き取り、および／または感じるかもしれない。
【０１３１】
図３Ａ〜図３Ｃに関して上述したシステム１００、２００および方法は閉鎖システムであるが、必要に応じて、本発明の少なくともいくつかの実施例に係るシステム１００、２００および方法は、周囲雰囲気のような外部源／領域から新しい流体（例えば、空気もしくは他のガス）を吸入し、および／または外部源／領域に流体を排出し得る。この可能性は、図２Ｂに、例えば、破線矢印２４０で示されている。追加的に、または代替的に、必要に応じて、本発明の少なくともいくつかの実施例に係るシステム１００、２００および方法は、使用者が、例えば、ユーザインターフェース（入力装置１７０の一部として設けられ得る）との相互作用によって、硬さ設定レベルの１つまたは複数を「微調整する」のを可能にし得る。より具体的な実施例として、入力装置１７０および／または靴１０００は、足支持ブラダ１０２内の圧力を（例えば、インターフェースとの相互作用ごとに、±０．５ｐｓｉ（約３．４５ｋＰａ）のような比較的小さな増分で）調整するために使用者が相互作用することができる「圧力上昇」ボタンと「圧力低下」ボタンとを含み得る。このようにして支持ブラダ１０２の圧力を変えるために、流体は、ブラダ１０４の中へ、またはブラダ１０４から外へ移動され、および／または外部環境もしくは他の供給源の中へ、または外部環境もしくは他の供給源から外へ移動され得る。
【０１３２】
上述したシステム１００、２００の実施例において、ポンプ１１０は、踏み込みごとに、使用者がポンプ作動部１２６と相互作用することによって継続して作動され得る。しかしながら、ポンプ１１０を超える圧力レベル（流体流れ方向）が（上述したように）十分に高い場合、流体は、ポンプ１１０から外へ十分に移動しなくなり、および／またはブラダ１０４および／ブラダ１２０へと継続して移動しなくなる。したがって、足支持ブラダ１０２からそれ以上の流体が引き抜かれなくなり、その結果、足支持ブラダ１０２が所望の足支持圧力レベルで維持される。あるいは、必要に応じて、足支持ブラダ１０２が選択された設定の所望の圧力レベルになると、少なくとも使用者がシステム１００、２００と相互作用して足支持ブラダ１０２圧力の所望の変化を示すまで、足支持ブラダ１０２からのさらなる流体の移送を停止するために、弁が作動され得る（または弁１１４がそのように設計され得る）。
【０１３３】
上述した詳細な実施例の足支持システム１００、２００は、（例えば、図３Ａ〜図３Ｃに関して説明したように）３つの別個の足支持圧力設定を有する。他のオプションも可能である。例えば、２つの足支持ブラダ１０２の圧力設定（例えば、「軟らかい」設定と「硬い」設定）のみを有する同様の足支持システムが提供され得る。これは、例えば、予備リザーバブラダ１２０をなくすことで実現され得る。この可能性のある構成では、足支持システム１００、２００は、２つの上述の状態間で切り換えるだけでよい。別の可能性のあるオプションとして、必要に応じて、例えば、リザーバ１０４から足支持ブラダ１０２に流体を移動させるシステムを作成するために、図３Ａ〜図３Ｃのシステムでは、逆止弁および／または一方向弁（例えば、弁１１４、１１８、他の存在する逆止弁など）は逆向きにされ得る。
【０１３４】
しかしながら、図３Ｄは、２つ以上の予備リザーバ１２０Ａ、１２０Ｂ、…１２０Ｎを有する別の実施例の足支持システム３００を示している。０個以上の停止部１０８Ｍ、１０８Ｂ、１０８Ｃ、…１０８Ｎを選択的に作動させる（ひいては、システム３００の作動流体容積内に０個以上の予備リザーバ１２０Ａ、１２０Ｂ、…１２０Ｎを配置する）ことによって、例えば、図３Ａ〜図３Ｃに関して上述した一般的な方法で、足支持ブラダ１０２の異なる別個の踏み込みもしくは堅さ設定が実現され得る。一般に、予備リザーバ１２０Ａ、１２０Ｂ、…１２０Ｎの数が多いほど（またはポンプ１１０から流体を受け取るのに利用可能な予備リザーバ容積の利用可能な結合容積が大きいほど）、（より多くの流体がブラダ１０２からより高い利用可能な予備リザーバ容積へと吐出され得るので）足支持ブラダ１０２内の圧力設定は低くなる。予備リザーバ１２０Ａ、１２０Ｂ、…１２０Ｎは、互いに同一または異なる容積を有し得、ポンプ作動サイクルの間にポンプ１１０からの流体を収容するのに利用可能な予備リザーバ容積を変更するために、個々にまたは任意の所望の組み合わせ（単数または複数）で作動され得る。Ｎは任意の所望の数字であり得るが、本発明のいくつかの実施例では、Ｎは０〜８であり、いくつかの実施例では、０〜６、０〜４、または０〜３である。
【０１３５】
図３Ｅおよび図３Ｆは、本発明の少なくともいくつかの実施例に従って（例えば、図１Ｂ、図２Ｂ、図２Ｅ、図２Ｆに示されているタイプの履物構造において）使用され得る他の実施例の足支持システム３２０、３４０をそれぞれ示している。これらの実施例の足支持システム３２０、３４０は、例えば、上述した様々なタイプおよび機能の（例えば、任意で、上述の様々な向きおよび構造配置の）足支持ブラダ１０２および流体リザーバブラダ１０４を含み得る。図３Ｅおよび図３Ｆにおいて図１Ａ〜図３Ｄで使用されているのと同一の参照番号が使用される場合、同一もしくは同様の部品が示されており、様々な部品の完全な／詳細な説明は省略され得る。図３Ｅおよび／または図３Ｆの足支持システム３２０／３４０は、図１Ａ〜図３Ｄに関して上述した実施例の特定の特徴、特性、性質、構造、オプションなどのうちの任意の１つまたは複数を有し得る。
【０１３６】
図１Ａ〜図３Ｄの実施例では、足支持システムは、上述したように、追加の足支持ブラダ１０２圧力／硬さ設定の選択を可能にするために、システム内に予備リザーバ１２０／１２０Ａ〜１２０Ｎを含む。予備リザーバ（単数または複数）１２０は、（ライン１２２を介する）別個のブラダチャンバへの分岐部として、例えば、ポンプチャンバ１１０、流体ライン１１６、２１０／２１６、および／または流体予備リザーバ１０４からの分岐部としてシステム内に含まれていた。別のオプションとして、必要に応じて、図３Ｅおよび図３Ｆに示されているように、例えば、１つまたは複数のインライン圧力調節器３２２（制御システム１０８によって機械的または電子的に制御される）を選択して、予備リザーバ（単数または複数）１２０／１２０Ａ〜１２０Ｎに接続された分岐部の１つまたは複数（任意で全て）は省略され得る。インライン圧力調整器（単数または複数）３２２は、例えば、（ａ）例えば、図３Ｅに示されているように、流体リザーバブラダ１０４と足支持ブラダ１０２との間の流体流れライン１０６、２０６／２１６、および／または（ｂ）例えば、図３Ｆに示されているように、ポンプチャンバ１１０と流体リザーバブラダ１０４との間の流体流れライン１１６、２１０／２１６の一方または両方に設けられ得る。市販されているこのタイプの圧力調整器３２２は、所定の圧力差（ΔＰ）が調節器３２２の入口端と出口端との間で生じるまで流体を流すことができ、圧力差（ΔＰ）が生じた時点で、調整器３２２を通過するさらなる流体の流れが停止される。これらのタイプの圧力調整器（単数または複数）３２２は、任意の所望の異なる数の足支持ブラダ１０２圧力レベル設定（例えば、２〜２０個の設定、いくつかの実施例では、２〜１５個の設定、２〜１０個の設定、さらには３〜８個の設定）を設けるのに使用され得る。別のオプションとして、このタイプの圧力調整器（単数または複数）３２２は、個別の個々のまたは段階的圧力設定ではなく、使用者が任意の所望の設定レベルを自由に選択することができるようにするために使用され得る。
【０１３７】
図４Ａ〜図４Ｃは、本発明の少なくともいくつかの実施例に従って（例えば、図１Ｂ、図２Ｂ、図２Ｅ、図２Ｆに示されているタイプの履物構造において）使用され得る他の例の足支持システム４００を示している。これらの例の足支持システム４００は、例えば、上述した様々なタイプの（例えば、任意で、上述の様々な向きおよび配置の）足支持ブラダ１０２および流体リザーバブラダ１０４を含み得る。図４Ａ〜図４Ｃにおいて図１Ａ〜図３Ｆで使用されているのと同一の参照番号が使用される場合、同一もしくは同様の部品が示されており、様々な部品の完全な／詳細な説明は省略され得る。この実施例の足支持システム４００は、着用者の足の少なくとも一部を支持するための足支持ブラダ１０２と、流体リザーバブラダ１０４とを含む。このシステム４００内には、ポンプ１１０（上述の様々なタイプの「足踏作動」ポンプ／バルブポンプであり得る）の作用による（ａ）足支持ブラダ１０２から流体リザーバブラダ１０４への第１の経路内（図４Ａ）または（ｂ）流体リザーバブラダ１０４から足支持ブラダ１０２への第２の経路内（図４Ｂ）における流体（例えば、ガス）の移動を制御するための流体流れ方向調節システム４０８が設けられる。流体流れ方向調節システム４０８は、物理スイッチタイプの構造（例えば、上述の構成要素１０８、１０８Ａと同様の構造）、電子制御弁もしくは他のシステム（例えば、入力装置１７０および有線もしくは無線通信を含む）、ブラダ構造内の流体経路を物理的に「ピンチオフ」もしくは閉鎖する構造（単数または複数）などであり得る。
【０１３８】
足支持ブラダ１０２とポンプ１１０との間に第１の流体移送ライン４１０が延在し、第１の流体移送ライン４１０経由の足支持ブラダ１０２からポンプ１１０への流体の移動を可能にするが、（例えば、第１の流体移送ライン４１０経由の）ポンプ１１０から足支持ブラダ１０２へ戻る流体の移動を不可能にする第１の弁１１４（例えば、一方向弁）が設けられる。ポンプ１１０と流体リザーバ１０４との間に第２の流体移送ライン４１２が延在し、第２の流体移送ライン４１２経由のポンプ１１０から流体リザーバ１０４への流体の移動を可能にするが、（例えば、第２の流体移送ライン４１２経由の）流体リザーバ１０４からポンプ１１０へ戻る流体の移動を不可能にする第２の弁１１８（例えば、一方向弁）が設けられる。第３の流体移送ライン４１４が第１の流体移送ライン４１０と第２の流体移送ライン４１２との間に延在し、別個の第４の流体移送ライン４１６が第１の流体移送ライン４１０と第２の流体移送ライン４１２との間に延在する。様々な流体移送ライン４１０〜４１６が、（例えば、上述したように、熱成形／熱可塑性シート溶接プロセスによって）、ブラダ１０２ならびに／もしくはブラダ１０４を形成し、および／またはポンプ１１０を形成するシステム４００全体の一体部品として形成され得る。
【０１３９】
この実施例のシステム４００において、流体が第１の経路および第２の経路の両方を移動する場合、流体は、第１の流体移送ライン４１０から、ポンプ１１０を通って、第２の流体移送ライン４１２へと進む方向に移動する。より詳細には、図４Ａは、上述した第１の流体流路に流体を流すためのシステム４００の配置および形態の概略図である。図４Ａに示されているように、この形態では、流体流れ方向調整システム４０８は、第１の経路内で、流体が足支持ブラダ１０２から第１の流体移送ライン４１０へと引き込まれ、弁１１４を通り、ポンプ１１０を通って、第２の流体移送ライン４１２へと引き込まれ、弁１１８を通って、流体リザーバ１０４へと引き込まれるように構成および配置される。流体流れの矢印４２０Ａを参照されたい。この形態および流体流路配置では、第３の流体移送ライン４１４および第４の流体移送ライン４１６は、例えば、停止部材４１４Ａ、４１６Ａそれぞれ、および流体流れ方向調節システム４０８によって、閉鎖状態で維持される。流れライン（単数または複数）の容積（例えば、流体移送ライン４１２、ライン４１４、および／またはライン４１６の容積）は、流体リザーバブラダ１０４が所望の圧力に達したときに、単一のポンプサイクル（例えば、１回の使用者の踏み込み）でポンプ１１０によって移動された流体量が、弁１１８における圧力を克服するのに不十分である（ひいては、より多くの流体を流体リザーバ１０４へと移動させるのに不十分である）ように選択され得る。
【０１４０】
一方、図４Ｂは、上述した第２の経路に流体を流すことができるように構成および配置された流体流れ方向調節システム４０８を示している。この形態および流体経路配置において、流体は、流体リザーバ１０４から、第２の流体移送ライン４１２へ引き込まれ、そして（停止部材４１２Ａおよび／または弁１１８がライン４１２経由のポンプ１１０への流れを防止するので）第３の流体移送ライン４１４へと引き込まれ、次に第１の流体移送ライン４１０へと引き込まれる。そこから、停止部材４１０Ａがあるために、流体は、弁１１４、ライン４１０、およびポンプ１１０を通って、第２の流体移送ライン４１２へと移動し、弁１１８を通過する。そこから、停止部材４１２Ａがあるために、流体は、（停止部材４１０Ａがライン４１０経由のポンプ１１０への流れを防止するので）第４の流体移送ライン４１６、第１の流体移送ライン４１０、および足支持ブラダ１０２へと移動する。流体流れの矢印４２０Ｂを参照されたい。この構成において、（ａ）第１の移送ライン４１０は、流体が第１の流体移送ライン４１０経由で第３の流体移送ライン４１４から直接足支持ブラダ１０２へと流れるのを防止するように所定位置で（停止部材４１０Ａによって）閉鎖状態で維持され、（ｂ）第２の流体移送ライン４１２は、流体が第２の流体移送ライン４１２経由で第２の流体移送ライン４１２から直接流体リザーバ１０４へと流れるのを防止するように所定位置で（停止部材４１２Ａによって）閉鎖状態で維持される。図４Ａおよび図４Ｂに示されているように、足支持システム４００において、（ａ）第３の流体移送ライン４１４は、第２の経路に沿って第３の流体移送ライン４１４から第１の流体移送ライン４１０へと流れる流体がポンプ１１０に到達する前に第１の一方向弁１１４を通過するように所定位置で第１の流体移送ライン４１０に接続され、および／または（ｂ）第４の流体移送ライン４１６は、第２の経路に沿ってポンプ１１０から第２の流体移送ライン４１２へと流れる流体が第４の流体移送ライン４１６に到達する前に第２の一方向弁１１８を通過するように所定位置で第２の流体移送ライン４１２に接続される。
【０１４１】
図４Ａおよび図４Ｂに示されている足支持システム４００および流体制御システム４０８では、システム４００内で２つの別個の全体方向に流体を移動させるために、単純な一方向性ポンプ（例えば、踏み込み時に使用者の足によって作動されるバルブタイプのポンプ）を使用することができる。より詳細には、上述したように、システム４００は、流体が１つの入口領域を通って（例えば、流体移送ライン４１０経由で）常にポンプ１１０に流入し、１つの出口領域を通って（例えば、流体移送ライン４１２経由で）常にポンプ１１０から出るのを可能にすると同時に、足支持ブラダ１０２から流体リザーバブラダ１０４へ、または流体リザーバブラダ１０４から足支持ブラダ１０２への流体の移送も可能にし得る。停止部材４１０Ａ、４１２Ａ、４１４Ａ、４１６Ａの全てを開放することにより、流体圧力はシステム４００全体にわたって等しくなり得る。
【０１４２】
図４Ｃは、多くの点で図４Ａおよび図４Ｂに示されているシステム４００と同様である（例えば、一方向性ポンプ１１０が上述した２つの経路／方向に沿って流体を移動させることができる）別の足支持システム４５０を示している。上述したのと同一または同様の特徴は、図１Ａ〜図４Ｂで使用されているのと同一の参照番号で示されており、これらの同一または同様の特徴についてのより詳細な説明は省略されている。しかしながら、図３Ａ〜図３Ｄのシステム１００、２００、２６０、２８０、３００と同様に、システム４５０は、例えば、図３Ａ〜図３Ｄの要素（単数または複数）１２０、１２０Ａ、１２０Ｂ、…１２０Ｎに関して上述したタイプの１つまたは複数の予備リザーバブラダ４４０を含む。予備リザーバブラダ（単数または複数）４５０は、少なくともシステム４５０が図４Ａに示されている第１の流体経路配置（停止部材４１４Ａ、４１６Ａが閉鎖されている）にあるときに、上述したように足支持ブラダ１０２内の圧力変化（例えば、個別の段階的圧力変化）を可能にするために、停止部材（単数または複数）４４０Ａによって（例えば、流れ制御システム４０８を介して）選択的に制御され得る。停止部材４１０Ａ、４１２Ａ、４１４Ａ、４１６Ａ、４４０Ａの全てを開放することにより、システム４５０全体にわたって圧力が等しくなり得る。追加的に、または代替的に、予備リザーバブラダ（単数または複数）４４０の１つまたは複数（任意で、全て）は、例えば、図３Ｅおよび図３Ｆに関して説明したタイプの（例えば、ライン４１０、ライン４１２、ライン４１４、および／またはライン４１６内の）１つまたは複数のインライン調節器と交換され得る。
【０１４３】
図５Ａおよび図５Ｂはそれぞれ、本発明の少なくともいくつかの実施例に係る別の実施例の履物構造５００の側面図および底面図である。履物５００は、従来の構成、構造、部品数、ならびに／もしくは製造方法、および／または上述の構成、構造、部品数、ならびに／もしくは製造方法を含む、任意所望の構成、構造、および／または部品数を有し得、任意の所望の方法によって作成され得るアッパー５０２を含む。履物５００はさらに、例えば、接着剤もしくはセメントによって、機械的接続部によって、および／または縫製もしくは縫合によって、アッパー５０２と係合された（および当分野で周知であり使用されている従来の方法で接続され得る）ソール構造５０４を含む。このソール構造５０４の特定の特徴について、より詳細に後述する。
【０１４４】
図５Ａおよび図５Ｂはさらに、この実施例のソール構造５０４が、例えば、図１Ａ〜図４Ｃに関して上述した構造、特徴、特性、性質、流体流れ接続、および／または足支持システムのオプションのいずれかを有し得る足支持システムを含むことを示している。この具体的に図示されている実施例の履物構造５００において、足支持システムは、１つまたは複数（図５Ａおよび図５Ｂに示されているのは３つ）の足支持ブラダ１０２と流体連通している１つまたは複数の流体リザーバブラダ１０４（図５Ａおよび図５Ｂには１つの流体リザーバブラダ１０４が示されている）を含む。この図示されている実施例の履物構造５００において、流体リザーバブラダ（単数または複数）１０４は、図２Ｆに関して上述した構造と同様に、上下に積み重ねられ、足支持ブラダ（単数または複数）１０２の上に配置されるが、本発明から逸脱せずに、上下逆の配置（履物構造５００内で１つまたは複数の足支持ブラダ１０２が１つまたは複数のリザーバブラダ１０４の上に積み重ねられた状態）も使用され得る。
【０１４５】
上述したように、図５Ａおよび図５Ｂは、この実施例の足支持ブラダ１０２が３つの分離された足支持ブラダ領域を含むことを示している。具体的には、踵の方に配置された足支持ブラダ１０２ＢＨは、履物５００の踵支持領域に配置され、外側前足部支持ブラダ１０２ＢＬは、履物５００の外側前足部支持領域に配置され（例えば、着用者の足の少なくとも第５中足骨頭領域を支持するように、任意で第３および／または第４中足骨頭領域も支持するように鉛直下方に位置決めされる）、内側前足支持部ブラダ１０２ＢＭは、履物５００の内側前足支持領域に配置される（例えば、着用者の足の少なくとも第１中足骨頭領域を支持するように、任意で第２および／または第３中足骨頭領域も支持するように鉛直下方に位置決めされる）。本発明から逸脱せずに、履物構造の任意の追加のまたは代替の所望の位置に、１つまたは複数の入れ子構造の足支持ブラダ１０２を含む、３つより多いまたは少ない個々の足支持ブラダ１０２が設けられてもよい。図５Ａおよび図５Ｂはさらに、足支持ブラダ１０２ＢＨ、１０２ＢＬ、１２０ＢＭの各々の外側主要面と係合される、および／または別の方法でこれらの外側主当面を被覆する１つまたは複数のアウトソール要素５０４Ｓ（例えば、ゴム、ＴＰＵ、もしくは従来のアウトソール材料製である）を示している（必要に応じて、分かれていないアウトソール要素を含む、３つより多い、少ない、および／または異なるタイプのアウトソール要素５０４Ｓが設けられてもよい）。必要に応じて、足支持システムの流体充填ブラダ（例えば、ブラダ１０２ＢＨ、１０２ＢＬ、１０２ＢＭ、１０４）の少なくとも底部（および任意で、側面の少なくともいくつかの部分（単数または複数））を完全に覆うアウトソール要素５０４Ｓが設けられ得る。アウトソール要素（単数または複数）５０４Ｓが存在する場合、アウトソール要素（単数または複数）５０４Ｓは、接触面との静止摩擦、例えば、履物５００の所望の最終用途に適した静止摩擦特徴を高めるような材料で製造され、および／またはそのような適切な構造を含み得る。
【０１４６】
他のオプションが可能であるが、図５Ａおよび図５Ｂは、互いに接続された（破線の流体移送ライン５０６で示されている）３つのブラダ領域１０２ＢＨ、１０２ＢＬ、１０２ＢＭを示している。このように、（例えば、ライン５０６の１つまたは複数の中に）弁、圧力調整器、または他の圧力制御手段が設けられていなければ、３つのブラダ領域１０２ＢＨ、１０２ＢＬ、１０２ＢＭ内の圧力は同じになる。他のオプションとして、個々の足支持システム内に足支持ブラダ１０２の一部として複数のブラダ領域が設けられている場合、任意の所望の数のブラダ領域（例えば、１０２ＢＨ、１０２ＢＬ、１０２ＢＭの２つ以上）は、同じ圧力で維持され、および／または任意の所望の数のブラダ領域（例えば、１０２ＢＨ、１０２ＢＬ、１０２ＢＭの１つまたは複数）は、任意の１つまたは複数の他のブラダ領域とは異なる圧力で維持され得る。様々なブラダ領域（例えば、１０２ＢＨ、１０２ＢＬ、１０２ＢＭ）内の流体流れおよび／または圧力の制御を可能にするために、（例えば、流体移送ライン５０６内に）逆止弁（または他の適切な流体流れ制御要素）が設けられ得る。
【０１４７】
図５Ａおよび図５Ｂはさらに、ライン１１２を介して１つの足支持ブラダ（この実施例では、ブラダ領域１０２ＢＭ）と流体連通し、ライン１１６を介して流体リザーバブラダ１０４と流体連通しているポンプチャンバ１１０を概略的に示している。追加的に、または代替的に、ポンプチャンバ１１０は、足支持ブラダ領域１０２ＢＨおよび／または足支持ブラダ領域１０２ＢＬの一方または両方と（または任意の他の存在する足支持ブラダ１０２と）直接流体連通し得る。図５Ａおよび図５Ｂには図示されていないが、予備リザーバ（例えば、予備リザーバ１２０）および予備リザーバとの流体接続部（例えば、図１Ａ〜図４Ｃに関して上述したような流体接続部）が、ソール構造５０４内に設けられ得る。ブラダ領域１０２ＢＨ、１０２ＢＬ、１０２ＢＭの任意の１つまたは複数のブラダ領域はさらに、流体リザーバブラダ（単数または複数）１０４への接続部（例えば、上述したライン１０６のような接続部）を有し得る。ブラダ領域１０２ＢＨ、１０２ＢＬ、１０２ＢＭの２つ以上のブラダ領域がポンプチャンバ１１０および／または流体リザーバブラダ１０４への別個の接続ラインを有する場合、その別個の接続ラインは、個々の（および個々に制御可能な）弁１１４および／または停止部材１０８Ｍを含み得る。
【０１４８】
図５Ａおよび図５Ｂはさらに、本発明の少なくともいくつかの実施例に係るソール構造５０４および／または履物５００に含まれ得る追加の構成要素を示している。図５Ａに示されているように、履物５００／ソール構造５０４は、着用者の足の全てまたは任意の所望の部分／割合を支持するように延在するミッドソール要素５１０（例えば、発泡材で作られた）を含み得る。別のオプションとして、構成要素５１０は、アッパー５０２のストローベル部材および／または他の底部要素を構成し得る。調整板５１２（例えば、炭素繊維、熱可塑性ポリウレタン、ガラス繊維などで作られた）が、ミッドソール（またはストローベル）要素５１０の下に設けられ得、この調整板５１２は、着用者の足の全てまたは任意の所望の部分／割合を支持するように延在し得る。任意で、必要に応じて、調整板５１２およびミッドソール要素５１０は、調整板５１２がミッドソール要素５１０よりも着用者の足の近くに位置するように、上下逆にされ得る。例えば、流体リザーバブラダ１０４と係合する基部を形成し、および／または様々な他の部品の構造によるソール構造５０４を貫通する任意の隙間または孔を埋めるために、追加の発泡材５１４（または他の充填材）が調整板５１２の鉛直下方に設けられ得る。部品５０２、部品５１０、部品５１２、部品５１４、部品１０４、および／または部品１０２は、例えば、接着剤もしくはセメント、機械的接続部、縫製もしくは縫合などによって、任意の所望の方法で係合され得る。
【０１４９】
この実施例のソール構造５０４の前足爪先部５１６は、例えば、図１Ｃおよび図１Ｄに示されている領域のように、ポンプチャンバ１１０を収容する内部チャンバを含むように、および／または（着用者の足の動きによって）ポンプチャンバ１１０を作動させるポンプ作動部１２６を含むように構成され得る。前足爪先部５１６のチャンバを画定する外側材料もしくは被覆材料は、発泡材、ゴム、ＴＰＵ、または任意の他の所望の材料（履物分野で従来使用されている材料を含む）から作成され得る。追加的に、または代替的に、図１Ｃおよび図１Ｄにさらに示されているように、ミッドソール（もしくはストローベル）要素５１０、調整板５１２、および／または追加の発泡材５１４のうちの任意の１つまたは複数は、着用者の足がポンプチャンバ１１０を圧縮することができるように構成され得る。いくつかのより詳細な実施例として、ミッドソール（もしくはストローベル）要素５１０、調整板５１２、および／または追加の発泡材５１４のうちの任意の１つまたは複数は、着用者の足が下方に移動してポンプチャンバを圧縮することができるように十分な可撓性を有し得、および／またはミッドソール（もしくはストローベル）要素５１０、調整板５１２、および／または追加の発泡材５１４のうちの任意の１つまたは複数の前方爪先領域と前足領域との間で相対回転運動（例えば、軸５１８を中心として上下方向に）を可能にするために、１つまたは複数のヒンジ、可撓線、または他の構造が設けられ得る。したがって、ミッドソール（もしくはストローベル）要素５１０、調整板５１２、および／または追加の発泡材５１４のうちの任意の１つまたは複数の前方爪先領域は、図１Ｃおよび図１Ｄに示されているポンプ作動部１２６としての機能を果たし得る。別のオプションまたは実施例として、必要に応じて、ポンプチャンバ１１０および／またはポンプ作動部１２６の構造は、ソール構造５０４および／または履物５００の別の領域に、例えば、踵領域に、設けられ得る。
【０１５０】
図３Ａ〜図４Ｃに関して上述した流体圧力変化制御システムおよび流体流れ制御システムは、例えば、図１Ａ〜図２Ｆ、図５Ａ、および図５Ｂに関して上述したタイプのいずれかを含む任意のタイプの履物構造および／または履物構成要素と共に使用され得、上述した様々な方法のいずれかの方法で履物構造および／または履物構成要素内に配置され得る。
ＩＩＩ．結論
【０１５１】
本発明は、様々な実施形態に関して、上記そして添付図面に開示されている。しかしながら、本開示によって果たされる目的は、本発明に関連する様々な特徴および概念の一例を示すことであり、本発明の範囲を制限することではない。当業者は、本発明の範囲から逸脱せずに、添付の請求項によって定義されるように、上述の実施形態に対して多くの変更および修正がなされてもよいことを理解するであろう。
【図１Ａ】
0006929952.tif 000002
【図１Ｂ】
0006929952.tif 000003
【図１Ｃ】
0006929952.tif 000004
【図１Ｄ】
0006929952.tif 000005
【図１Ｅ】
0006929952.tif 000006
【図１Ｆ】
0006929952.tif 000007
【図１Ｇ】
0006929952.tif 000008
【図１Ｈ】
0006929952.tif 000009
【図２Ａ】
0006929952.tif 000010
【図２Ｂ】
0006929952.tif 000011
【図２Ｃ】
0006929952.tif 000012
【図２Ｄ】
0006929952.tif 000013
【図２Ｅ】
0006929952.tif 000014
【図２Ｆ】
0006929952.tif 000015
【図３Ａ】
0006929952.tif 000016
【図３Ｂ】
0006929952.tif 000017
【図３Ｃ】
0006929952.tif 000018
【図３Ｄ】
0006929952.tif 000019
【図３Ｅ】
0006929952.tif 000020
【図３Ｆ】
0006929952.tif 000021
【図４Ａ】
0006929952.tif 000022
【図４Ｂ】
0006929952.tif 000023
【図４Ｃ】
0006929952.tif 000024
【図５Ａ】
0006929952.tif 000025
【図５Ｂ】
0006929952.tif 000026